(57)【要約】  車両の運転者の選定にあたり、完全自動運転が不可能な不完全自動運転区間の始端に車両が到達する時点で、適当な運転適性度を有する運転者が車両に搭乗していない確率を低減する運転者選定装置を提供する。運転者選定装置は、乗員情報取得部と運転計画部とを含む。乗員情報取得部は、複数の乗員の動的状態または静的状態を取得する。運転計画部は、各乗員の動的状態と不完全自動運転区間の自動運転レベルとに基づき、または、各乗員の静的状態に基づき、一の乗員を一の不完全自動運転区間における運転者として選定して運転者交代計画を策定し乗員に提示する。運転計画部は、動的状態に基づく運転者交代計画の策定については、車両が一の不完全自動運転区間に到達する前の予め定められて時点で運転者交代計画を策定する。運転計画部は、静的状態に基づく運転者交代計画の策定については、走行経路の策定の後に予め運転者交代計画を策定する。
2020039530.tif 000002
【特許請求の範囲】
【請求項１】
車両の運転に対し人間の関与が要求される、あるいは要求される可能性がある自動運転レベルが設定された、少なくとも１つの不完全自動運転区間を含む前記車両の走行経路について、前記少なくとも１つの不完全自動運転区間の各々における前記車両の運転に関与する運転者を、前記車両に搭乗する複数の乗員から選定して提示する運転者選定装置であって、
前記複数の乗員の各々の状態であって搭乗中に時間的に変化する状態である動的状態、または、前記動的状態以外の状態である静的状態を取得する乗員情報取得部と、
前記複数の乗員の各々の前記動的状態と前記少なくとも１つの不完全自動運転区間の各々の前記自動運転レベルとに基づき、または、前記複数の乗員の各々の前記静的状態に基づき、前記複数の乗員のうち一の乗員を、一の不完全自動運転区間における前記車両の前記運転者として選定して運転者交代計画を策定し、前記運転者交代計画を前記複数の乗員のうち少なくとも１人の乗員に提示する運転計画部と、を備え、
前記運転計画部は、前記動的状態に基づく前記運転者交代計画の策定については、前記車両が前記一の不完全自動運転区間に到達する前の予め定められたタイミングで前記一の不完全自動運転区間について前記運転者交代計画を策定し、前記静的状態に基づく前記運転者交代計画の策定については、前記走行経路の策定の後に前記少なくとも１つの不完全自動運転区間の各々について予め前記運転者交代計画を策定する、運転者選定装置。
【請求項２】
車両の現在位置を測定する測位部と、
道路の区間ごとに設定された前記自動運転レベルの情報を含む地図を取得する地図取得部と、をさらに備え、
運転計画部は、前記車両の前記現在位置と前記地図とに基づき、前記車両の前記走行経路を求め、前記地図に含まれる前記自動運転レベルの情報に基づき、前記走行経路に含まれる前記少なくとも１つの不完全自動運転区間を求める、請求項１に記載の運転者選定装置。
【請求項３】
前記運転計画部は、前記複数の乗員の各々の前記静的状態に関する予め定められた運転者選定規則に従い、前記複数の乗員のうち前記一の乗員を、前記一の不完全自動運転区間における前記車両の前記運転者として選定する、請求項１に記載の運転者選定装置。
【請求項４】
前記複数の乗員の各々の前記静的状態は、前記複数の乗員の各々が有する前記車両の運転能力を含む、請求項３に記載の運転者選定装置。
【請求項５】
前記複数の乗員の各々の前記静的状態に関する前記予め定められた運転者選定規則は、前記複数の乗員の各々が有する前記運転能力と、前記少なくとも１つの不完全自動運転区間の各々の運転難易度と、に基づいて定められる請求項４に記載の運転者選定装置。
【請求項６】
前記少なくとも１つの不完全自動運転区間の各々の前記運転難易度は、前記少なくとも１つの不完全自動運転区間の各々の前記自動運転レベルに基づいて決められる請求項５に記載の運転者選定装置。
【請求項７】
前記少なくとも１つの不完全自動運転区間の各々の前記運転難易度は、前記少なくとも１つの不完全自動運転区間の各々における道路形状または走行周辺環境に基づいて決められる請求項５に記載の運転者選定装置。
【請求項８】
前記道路形状は、道路の構造、または、前記走行経路における右左折の回数を含む請求項７に記載の運転者選定装置。
【請求項９】
前記走行周辺環境は、前記車両の周辺を走行する他の車両の存在密度、または、天候を含む請求項７に記載の運転者選定装置。
【請求項１０】
前記少なくとも１つの不完全自動運転区間は、複数の不完全自動運転区間を含み、
前記複数の乗員の各々の前記静的状態に関する前記予め定められた運転者選定規則は、前記複数の乗員の各々が有する前記運転能力と、前記複数の不完全自動運転区間における前記車両の走行順序と、に基づいて定められ、
前記運転計画部は、前記複数の乗員のうち、高い運転能力を有する乗員ほど、前記走行順序が後方の不完全自動運転区間の前記運転者として選定する、請求項４に記載の運転者選定装置。
【請求項１１】
前記少なくとも１つの不完全自動運転区間は、複数の不完全自動運転区間を含み、
前記複数の乗員の各々の前記静的状態は、前記複数の乗員の各々が到達すべき目的地を含み、
前記複数の乗員の各々の前記静的状態に関する前記予め定められた運転者選定規則は、前記車両の現在位置から前記目的地までの到達順と、前記複数の不完全自動運転区間における前記車両の走行順序と、に基づいて定められ、
前記運転計画部は、前記複数の乗員のうち、前記到達順が早い乗員ほど、前記走行順序が前方の不完全自動運転区間の前記運転者として選定する、請求項３に記載の運転者選定装置。
【請求項１２】
前記乗員情報取得部は、複数の乗員の各々の状態であって、搭乗中に時間的に変化する状態である動的状態を、前記運転者交代計画が策定された前記少なくとも１つの不完全自動運転区間のうち、前記車両が次に走行する次期不完全自動運転区間に到達する前の予め定められたタイミングで取得し、
前記運転計画部は、前記次期不完全自動運転区間の前記運転者である次期運転者の前記動的状態に基づく運転適性度が予め定められた基準を満たさない場合に、前記次期運転者を除く少なくとも１人の乗員から、前記次期不完全自動運転区間における前記車両の前記運転者を再選定する、請求項３に記載の運転者選定装置。
【請求項１３】
前記次期運転者の前記動的状態は、前記次期運転者のバイタル状態を含む請求項１２に記載の運転者選定装置。
【請求項１４】
前記乗員情報取得部は、前記運転者交代計画が策定された前記少なくとも１つの不完全自動運転区間のうち、前記車両が次に走行する次期不完全自動運転区間の前記運転者である次期運転者の状態であって、搭乗中に時間的に変化する状態である動的状態を、前記車両が前記次期不完全自動運転区間に到達する前の予め定められたタイミングで取得し、
前記運転計画部は、前記次期運転者の前記動的状態に基づく運転適性度が、予め定められた基準を満たさない場合に、前記車両を遠隔操作によって運転する遠隔運転サービスセンタに、前記次期不完全自動運転区間における前記車両の遠隔運転を依頼する、請求項３に記載の運転者選定装置。
【請求項１５】
前記次期運転者の前記動的状態は、前記次期運転者のバイタル状態を含む請求項１４に記載の運転者選定装置。
【請求項１６】
前記運転計画部は、前記車両に搭載される報知装置に対して、前記車両の現在位置と前記運転者交代計画とを報知させる制御を行う報知制御部を含み、
前記運転計画部は、前記報知制御部が前記制御を行うことにより、前記運転者交代計画を前記少なくとも１人の乗員に提示する、請求項１に記載の運転者選定装置。
【請求項１７】
前記報知装置は、指向性を有する音声出力装置を含む、請求項１６に記載の運転者選定装置。
【請求項１８】
前記運転計画部は、前記車両に搭載される複数の報知装置であって前記複数の乗員毎に設けられる前記複数の報知装置に対して、前記車両の現在位置と前記運転者交代計画とを報知させる制御を行う報知制御部を含み、
前記運転計画部は、前記報知制御部が前記制御を行うことにより、前記運転者交代計画を前記少なくとも１人の乗員に提示し、
前記報知制御部は、前記複数の報知装置のうち一の報知装置が報知する態様と、他の報知装置が報知する態様とが異なるように、前記制御を行い、
前記一の報知装置は、前記運転者交代計画が策定された前記少なくとも１つの不完全自動運転区間のうち、前記車両が次に走行する次期不完全自動運転区間の前記運転者である次期運転者に、前記運転者交代計画を報知し、
前記他の報知装置は、前記次期運転者を除く前記少なくとも１人の乗員に、前記運転者交代計画を報知する、請求項１に記載の運転者選定装置。
【請求項１９】
前記一の報知装置が報知する態様は、前記他の報知装置が報知する態様よりも、前記次期運転者に対し視覚容易性に優れる、または、聴取容易性に優れる、請求項１８に記載の運転者選定装置。
【請求項２０】
前記運転者交代計画における前記運転者の状態であって、搭乗中に時間的に変化する状態である動的状態に基づく運転適性度を向上させる運転適性度改善装置に対し、前記運転適性度を向上させる制御を行う運転適性度制御部をさらに備え、
前記乗員情報取得部は、前記運転者交代計画が策定された前記少なくとも１つの不完全自動運転区間のうち、前記車両が次に走行する次期不完全自動運転区間の前記運転者である次期運転者の前記動的状態を、前記車両が前記次期不完全自動運転区間に到達する前の予め定められたタイミングで取得し、
前記運転適性度制御部は、前記次期運転者の前記動的状態に基づく前記運転適性度が、予め定められた基準を満たさない場合に、前記運転適性度改善装置に対し、前記次期運転者の前記運転適性度を向上させる前記制御を行う、請求項３に記載の運転者選定装置。
【請求項２１】
前記運転適性度改善装置は、前記複数の乗員の各々が着座する前記車両のシートに設けられたシート振動装置を含み、
前記運転適性度制御部は、前記制御として、前記次期運転者が着座する前記シートに設けられた前記シート振動装置に対し、前記シートを振動させる前記制御を行う、請求項２０に記載の運転者選定装置。
【請求項２２】
前記運転適性度改善装置は、前記複数の乗員の各々に仮想的な運転操作を体験させるアプリケーションを実行する疑似運転装置を含み、
前記運転適性度制御部は、前記制御として、前記次期運転者が使用する前記疑似運転装置に対し、前記アプリケーションを実行させる前記制御を行う、請求項２０に記載の運転者選定装置。
【請求項２３】
前記運転適性度改善装置は、前記複数の乗員の各々に対し音声で警報を出力する警報装置を含み、
前記運転適性度制御部は、前記制御として、前記警報装置に対し、前記警報を前記音声で出力させる前記制御を行う、請求項２０に記載の運転者選定装置。
【請求項２４】
前記乗員情報取得部は、前記次期運転者の前記動的状態を受動的に検出するドライバセンシング装置、または、前記次期運転者にタスクを与えた後の前記次期運転者の反応を前記動的状態として能動的に検知するドライバセンシング装置から前記動的状態を取得する、請求項２０に記載の運転者選定装置。
【請求項２５】
前記複数の乗員の各々が着座する前記車両のシートを移動させることによって前記車両内の前記シートの配置を変更するシート移動装置に対し、前記シートを移動させる制御を行うシート移動制御部をさらに備え、
前記シート移動制御部は、前記運転者交代計画が策定された前記少なくとも１つの不完全自動運転区間のうち、前記車両が次に走行する次期不完全自動運転区間の前記運転者である次期運転者が着座する前記シートを、前記次期運転者の運転に適した位置に移動させる制御を、前記シート移動装置に対して行う、請求項１に記載の運転者選定装置。
【請求項２６】
前記運転計画部は、前記複数の乗員の各々の前記動的状態に関する予め定められた運転者選定規則に従い、前記複数の乗員のうち前記一の乗員を、前記一の不完全自動運転区間における前記車両の前記運転者として選定する、請求項１に記載の運転者選定装置。
【請求項２７】
前記複数の乗員の各々の前記動的状態は、前記複数の乗員の各々のバイタル状態を含み、
前記複数の乗員の各々の前記動的状態に関する前記予め定められた運転者選定規則は、前記複数の乗員の各々の前記バイタル状態に基づく運転適性度に関する閾値であって、前記少なくとも１つの不完全自動運転区間の各々の前記自動運転レベルに応じて設定される前記閾値によって定められ、
前記運転計画部は、前記複数の乗員のうち、前記閾値よりも高い運転適性度を有する前記一の乗員を、前記運転者として選定し、
前記閾値は、前記自動運転レベルが高いほど、高い値に定められている、請求項２６に記載の運転者選定装置。
【請求項２８】
前記動的状態に基づく運転適性度を向上させる運転適性度改善装置に対し、前記運転適性度を向上させる制御を行う運転適性度制御部をさらに備え、
前記運転適性度制御部は、前記運転者の前記運転適性度が、予め定められた基準を満たさない場合に、前記運転適性度改善装置に対し、前記運転者の前記運転適性度を向上させる前記制御を行う、請求項２６に記載の運転者選定装置。
【請求項２９】
前記運転適性度改善装置は、前記複数の乗員の各々が着座する前記車両のシートに設けられたシート振動装置を含み、
前記運転適性度制御部は、前記制御として、前記運転者が着座する前記シートに設けられた前記シート振動装置に対し、前記シートを振動させる前記制御を行う、請求項２８に記載の運転者選定装置。
【請求項３０】
前記運転適性度改善装置は、前記複数の乗員の各々に仮想的な運転操作を体験させるアプリケーションを実行する疑似運転装置を含み、
前記運転適性度制御部は、前記制御として、前記運転者が使用する前記疑似運転装置に対し、前記アプリケーションを実行させる前記制御を行う、請求項２８に記載の運転者選定装置。
【請求項３１】
前記運転適性度改善装置は、前記複数の乗員の各々に対し音声で警報を出力する警報装置を含み、
前記運転適性度制御部は、前記制御として、前記警報装置に対し、前記警報を前記音声で出力させる前記制御を行う、請求項２８に記載の運転者選定装置。
【請求項３２】
前記乗員情報取得部は、前記運転者の前記動的状態を受動的に検出するドライバセンシング装置、または、前記運転者にタスクを与えた後の前記運転者の反応を前記動的状態として能動的に検知するドライバセンシング装置から前記動的状態を取得する、請求項２６に記載の運転者選定装置。
【請求項３３】
車両の運転に対し人間の関与が要求される、あるいは要求される可能性がある自動運転レベルが設定された、少なくとも１つの不完全自動運転区間を含む前記車両の走行経路について、前記少なくとも１つの不完全自動運転区間の各々における前記車両の運転に関与する運転者を、前記車両に搭乗する複数の乗員から選定して提示する運転者選定方法であって、
前記複数の乗員の各々の状態であって搭乗中に時間的に変化する状態である動的状態、または、前記動的状態以外の状態である静的状態を取得し、
前記複数の乗員の各々の前記動的状態と前記少なくとも１つの不完全自動運転区間の各々の前記自動運転レベルとに基づき、または、前記複数の乗員の各々の前記静的状態に基づき、前記複数の乗員のうち一の乗員を、一の不完全自動運転区間における前記車両の前記運転者として選定して運転者交代計画を策定し、前記運転者交代計画を前記複数の乗員のうち少なくとも１人の乗員に提示し、
前記動的状態に基づく前記運転者交代計画の策定については、前記車両が前記一の不完全自動運転区間に到達する前の予め定められたタイミングで前記一の不完全自動運転区間について前記運転者交代計画を策定し、前記静的状態に基づく前記運転者交代計画の策定については、前記走行経路の策定の後に前記少なくとも１つの不完全自動運転区間の各々について予め前記運転者交代計画を策定する、運転者選定方法。
【発明の詳細な説明】
【技術分野】
【０００１】
本発明は、運転者選定装置および運転者選定方法に関する。
【背景技術】
【０００２】
昨今、開発が盛んに行われている自動運転システムは、特定の条件下にて、運転者を運転操作から解放し、自動運転モードで車両の走行を制御する。また、自動運転システムは、そのような、車両側で全てのアクチュエータを操作して走行する自動運転モードから、手動運転モードに切り替える制御も行う。【０００３】
自動運転システムは、自動運転モードから手動運転モードに切り替える場合、運転者の心身の状態（以下、バイタル状態という。）が運転に適する状態か否かを判定する。運転者のバイタル状態が運転に適している場合、自動運転システムは手動運転操作を許可する。運転者のバイタル状態が不適切である場合、自動運転システムは、車両を適当な駐車エリアに駐車させる制御を行う。【０００４】
特許文献１または２に記載のシステムは、車両に搭乗する複数の乗員毎に運転適性度を読み取る。システムは、運転適性度に関する特定の運転者選定規則に従って、複数の乗員から手動運転に適した運転者を選定し、自動運転から手動運転に切り替える。【０００５】
特定の運転者選定規則とは、運転技能レベル、体調や覚醒度などであるバイタル状態、手動運転区間の道路形状や構造による運転容易性、運転の公平性などである。例えば、システムは、バイタル状態に関する運転者選定規則に基づき、自動運転区間から手動運転区間に移行する前の適当な時点で最も覚醒度の高い乗員を運転者として選定する。【０００６】
また、特許文献３には、運転者のバイタル状態を検出するシステムが提案されている。
【先行技術文献】
【特許文献】
【０００７】
【特許文献１】特開２０１８−４１２３８号公報
【特許文献２】特開２０１７−２４６５３号公報
【特許文献３】特開２０１８−７５２０８号公報
【発明の概要】
【発明が解決しようとする課題】
【０００８】
しかし、システムが自動運転モードに切り替える際に、全ての乗員の運転適性度が手動運転のための基準を満たさない状況が生じ得る。その場合、システムは、いずれかの乗員の運転適性度が改善するまで、車両を適当な駐車エリアで待機させる制御を行う。その結果、乗員にとっては、待ち時間が生じる。【０００９】
本発明は、以上のような課題を解決するためになされたものであり、車両の運転者を選定するにあたり、完全自動運転が可能な完全自動運転区間から完全自動運転が不可能な不完全自動運転区間に車両が移行する時点で、適当な運転適性度を有する運転者が車両に搭乗していない確率を低減できる運転者選定装置の提供を目的とする。
【課題を解決するための手段】
【００１０】
本発明に係る運転者選定装置は、車両の運転に対し人間の関与が要求される、あるいは要求される可能性がある自動運転レベルが設定された、少なくとも１つの不完全自動運転区間を含む車両の走行経路について、少なくとも１つの不完全自動運転区間の各々における車両の運転に関与する運転者を、車両に搭乗する複数の乗員から選定して提示する。運転者選定装置は、乗員情報取得部と運転計画部と、を含む。乗員情報取得部は、複数の乗員の各々の状態であって搭乗中に時間的に変化する状態である動的状態、または、動的状態以外の状態である静的状態を取得する。運転計画部は、複数の乗員の各々の動的状態と少なくとも１つの不完全自動運転区間の各々の自動運転レベルとに基づき、または、複数の乗員の各々の静的状態に基づき、複数の乗員のうち一の乗員を、一の不完全自動運転区間における車両の運転者として選定して運転者交代計画を策定し、運転者交代計画を複数の乗員のうち少なくとも１人の乗員に提示する。運転計画部は、動的状態に基づく運転者交代計画の策定については、車両が一の不完全自動運転区間に到達する前の予め定められたタイミングで一の不完全自動運転区間について運転者交代計画を策定する。運転計画部は、静的状態に基づく運転者交代計画の策定については、走行経路の策定の後に少なくとも１つの不完全自動運転区間の各々について予め運転者交代計画を策定する。
【発明の効果】
【００１１】
本発明によれば、車両の運転者を選定するにあたり、完全自動運転が可能な完全自動運転区間から完全自動運転が不可能な不完全自動運転区間に車両が移行する時点で、適当な運転適性度を有する運転者が車両に搭乗していない確率を低減する運転者選定装置の提供が可能である。【００１２】
本発明の目的、特徴、局面、および利点は、以下の詳細な説明と添付図面とによって、より明白になる。
【図面の簡単な説明】
【００１３】
【図１】実施の形態１における運転者選定装置の構成を示すブロック図である。
【図２】実施の形態１における運転者選定装置が有する処理回路の構成の一例を示す図である。
【図３】実施の形態１における運転者選定装置が有する処理回路の構成の別の一例を示す図である。
【図４】実施の形態１における運転者選定装置の動作および運転者選定方法を示すフローチャートである。
【図５】本明細書における完全自動運転および不完全自動運転の定義と、自動運転レベルとの関係を示す図である。
【図６】実施の形態２における運転者選定装置の構成を示すブロック図である。
【図７】実施の形態２における運転者選定装置の全体動作および運転者選定方法を示すフローチャートである。
【図８】実施の形態２における自動運転走行計画の策定動作を示すフローチャートである。
【図９】実施の形態２における表示装置に表示される自動運転走行計画に基づく走行経路を示す図である。
【図１０】実施の形態２における静的状態に基づく運転者交代計画の策定動作を示すフローチャートである。
【図１１】実施の形態２における表示装置に表示される運転者交代計画策定ボタンと自動運転走行計画とを示す図である。
【図１２】実施の形態２における乗員の静的状態および運転適性度の一例を示す図である。
【図１３】実施の形態２における表示装置に表示される運転者交代計画を示す図である。
【図１４】実施の形態２における運転者交代計画に基づく運転者交代制御の動作を示すフローチャートである。
【図１５】予め運転者交代計画を策定しない場合の走行経路および運転者の運転適性度の変化を示す図である。
【図１６】予め運転者交代計画を策定しない場合の走行経路および運転者の運転適性度の変化を示す図である。
【図１７】予め運転者交代計画を策定する場合の走行経路および運転者の運転適性度の変化を示す図である。
【図１８】実施の形態２の変形例２における運転者交代計画を示す図である。
【図１９】実施の形態２の変形例６における運転者選定装置の構成を示すブロック図である。
【図２０】実施の形態２の変形例６における車両内のシートの配置を示す図である。
【図２１】実施の形態２の変形例６における車両内のシートの配置を示す図である。
【図２２】実施の形態２の変形例６におけるシート移動後のシートの配置を示す図である。
【図２３】実施の形態３における運転者選定装置の構成を示すブロック図である。
【図２４】実施の形態４における運転者選定装置の構成を示すブロック図である。
【図２５】実施の形態５における運転者選定装置の構成を示すブロック図である。
【図２６】実施の形態５における次期運転者のための表示装置に表示される運転者交代計画を示す図である。
【図２７】実施の形態５における他の乗員のための表示装置に表示される運転者交代計画を示す図である。
【図２８】実施の形態６における運転者選定装置の構成を示すブロック図である。
【図２９】実施の形態７における運転者選定装置の構成を示すブロック図である。
【図３０】実施の形態７における運転者選定装置の全体動作および運転者選定方法を示すフローチャートである。
【図３１】実施の形態７における自動運転走行計画の策定動作を示すフローチャートである。
【図３２】実施の形態７における動的状態に基づく運転者交代計画の策定および運転者交代制御動作を示すフローチャートである。
【図３３】実施の形態７における自動運転走行計画、運転者交代計画および運転適性度の変化を示す図である。
【図３４】実施の形態８における運転者選定装置およびそれに関連して動作する装置の構成を示すブロック図である。
【発明を実施するための形態】
【００１４】
＜実施の形態１＞
図１は、実施の形態１における運転者選定装置１００の構成を示すブロック図である。運転者選定装置１００は、車両の運転に対し人間の関与が要求される、あるいは要求される可能性がある自動運転レベルが設定された、少なくとも１つの不完全自動運転区間を含む車両の走行経路について、少なくとも１つの不完全自動運転区間の各々における車両の運転に関与する運転者を、車両に搭乗する複数の乗員から選定して提示する。運転者選定装置１００は、乗員情報取得部１０および運転計画部２０を有する。
【００１５】
乗員情報取得部１０は、複数の乗員の各々の状態であって、搭乗中に時間的に変化する状態である動的状態を取得する。または、乗員情報取得部１０は、複数の乗員の各々の状態であって、動的状態以外の状態である静的状態を取得する。
【００１６】
運転計画部２０は、複数の乗員の各々の動的状態と少なくとも１つの不完全自動運転区間の各々の自動運転レベルとに基づき、複数の乗員のうち一の乗員を、一の不完全自動運転区間における車両の運転者として選定して運転者交代計画を策定する。または、運転計画部２０は、複数の乗員の各々の静的状態に基づき、複数の乗員のうち一の乗員を、一の不完全自動運転区間における車両の運転者として選定して運転者交代計画を策定する。そして、運転計画部２０は、運転者交代計画を複数の乗員のうち少なくとも１人の乗員に提示する。
【００１７】
運転計画部２０は、動的状態に基づく運転者交代計画の策定については、車両が一の不完全自動運転区間に到達する前の予め定められたタイミングでその不完全自動運転区間について運転者交代計画を策定する。
【００１８】
運転計画部２０は、静的状態に基づく運転者交代計画の策定については、走行経路の策定の後に少なくとも１つの不完全自動運転区間の各々について予め運転者交代計画を策定する。
【００１９】
図２は、運転者選定装置１００が有する処理回路９０の構成の一例を示す図である。乗員情報取得部１０および運転計画部２０の各機能は、処理回路９０により実現される。すなわち、処理回路９０は、乗員情報取得部１０および運転計画部２０を有する。
【００２０】
処理回路９０が専用のハードウェアである場合、処理回路９０は、例えば、単一回路、複合回路、プログラム化したプロセッサ、並列プログラム化したプロセッサ、ＡＳＩＣ（Application Specific Integrated Circuit）、ＦＰＧＡ（Field-Programmable Gate Array）、またはこれらを組み合わせた回路等である。乗員情報取得部１０および運転計画部２０の各機能は、複数の処理回路により個別に実現されてもよいし、１つの処理回路によりまとめて実現されてもよい。
【００２１】
図３は、運転者選定装置１００が有する処理回路の構成の別の一例を示す図である。処理回路は、プロセッサ９１とメモリ９２とを有する。プロセッサ９１がメモリ９２に格納されるプログラムを実行することにより、乗員情報取得部１０および運転計画部２０の各機能が実現される。例えば、プログラムとして記述されたソフトウェアまたはファームウェアがプロセッサ９１により実行されることにより各機能が実現される。すなわち、運転者選定装置１００は、プログラムを格納するメモリ９２と、そのプログラムを実行するプロセッサ９１とを有する。
【００２２】
プログラムには、運転者選定装置１００が、複数の乗員の各々の状態であって搭乗中に時間的に変化する状態である動的状態、または、動的状態以外の状態である静的状態を取得し、複数の乗員の各々の動的状態と少なくとも１つの不完全自動運転区間の各々の自動運転レベルとに基づき、または、複数の乗員の各々の静的状態に基づき、複数の乗員のうち一の乗員を、一の不完全自動運転区間における車両の運転者として選定して運転者交代計画を策定し、運転者交代計画を複数の乗員のうち少なくとも１人の乗員に提示し、動的状態に基づく運転者交代計画の策定については、車両が一の不完全自動運転区間に到達する前の予め定められたタイミングで一の不完全自動運転区間について運転者交代計画を策定し、静的状態に基づく運転者交代計画の策定については、走行経路の策定の後に少なくとも１つの不完全自動運転区間の各々について予め運転者交代計画を策定する機能が記述されている。また、プログラムは、乗員情報取得部１０および運転計画部２０の手順または方法をコンピュータに実行させるものである。
【００２３】
プロセッサ９１は、例えば、中央処理装置、処理装置、演算装置、マイクロプロセッサ、マイクロコンピュータ、ＤＳＰ（Digital Signal Processor）等である。メモリ９２は、例えば、ＲＡＭ（Random Access Memory）、ＲＯＭ（Read Only Memory）、フラッシュメモリ、ＥＰＲＯＭ（Erasable Programmable Read Only Memory）、ＥＥＰＲＯＭ（Electrically Erasable Programmable Read Only Memory）等の、不揮発性または揮発性の半導体メモリである。または、メモリ９２は、磁気ディスク、フレキシブルディスク、光ディスク、コンパクトディスク、ミニディスク、ＤＶＤ等、今後使用されるあらゆる記憶媒体であってもよい。
【００２４】
上述した乗員情報取得部１０および運転計画部２０の各機能は、一部が専用のハードウェアによって実現され、他の一部がソフトウェアまたはファームウェアにより実現されてもよい。このように、処理回路は、ハードウェア、ソフトウェア、ファームウェア、またはこれらの組み合わせによって、上述の各機能を実現する。
【００２５】
図４は、実施の形態１における運転者選定装置１００の動作および運転者選定方法を示すフローチャートである。
【００２６】
ステップＳ１にて、乗員情報取得部１０は、複数の乗員の各々の静的状態または動的状態を取得する。
【００２７】
ステップＳ２にて、運転計画部２０は、複数の乗員の各々の動的状態と不完全自動運転区間の自動運転レベルとに基づき、または、複数の乗員の各々の静的状態に基づき、一の乗員を不完全自動運転区間の運転者として選定する。
【００２８】
ステップＳ３にて、運転計画部２０は、運転者交代計画を複数の乗員のうち少なくとも１人の乗員に提示する。
【００２９】
以上をまとめると、実施の形態１における運転者選定装置１００は、車両の運転に対し人間の関与が要求される、あるいは要求される可能性がある自動運転レベルが設定された、少なくとも１つの不完全自動運転区間を含む車両の走行経路について、少なくとも１つの不完全自動運転区間の各々における車両の運転に関与する運転者を、車両に搭乗する複数の乗員から選定して提示する。運転者選定装置１００は、乗員情報取得部１０と運転計画部２０と、を含む。乗員情報取得部１０は、複数の乗員の各々の状態であって搭乗中に時間的に変化する状態である動的状態、または、動的状態以外の状態である静的状態を取得する。運転計画部２０は、複数の乗員の各々の動的状態と少なくとも１つの不完全自動運転区間の各々の自動運転レベルとに基づき、または、複数の乗員の各々の静的状態に基づき、複数の乗員のうち一の乗員を、一の不完全自動運転区間における車両の運転者として選定して運転者交代計画を策定し、運転者交代計画を複数の乗員のうち少なくとも１人の乗員に提示する。運転計画部２０は、動的状態に基づく運転者交代計画の策定については、車両が一の不完全自動運転区間に到達する前の予め定められたタイミングでその一の不完全自動運転区間について運転者交代計画を策定する。運転計画部２０は、静的状態に基づく運転者交代計画の策定については、走行経路の策定の後に少なくとも１つの不完全自動運転区間の各々について予め運転者交代計画を策定する。
【００３０】
以上の構成により、運転者選定装置１００は、運転者を選定するにあたり、完全自動運転区間から不完全自動運転区間の移行する時点で、静的状態または動的状態に基づく適当な運転適性度を有する運転者が車両に搭乗していない確率を低減する。運転者選定装置１００は、手動運転の実施時にいずれかの乗員の運転適性度が向上するまで、適当な駐車エリアで待機しなければならない状況を減少させる。
【００３１】
また、実施の形態１における運転者選定方法は、車両の運転に対し人間の関与が要求される、あるいは要求される可能性がある自動運転レベルが設定された、少なくとも１つの不完全自動運転区間を含む車両の走行経路について、少なくとも１つの不完全自動運転区間の各々における車両の運転に関与する運転者を、車両に搭乗する複数の乗員から選定して提示する。運転者選定方法は、複数の乗員の各々の状態であって搭乗中に時間的に変化する状態である動的状態、または、動的状態以外の状態である静的状態を取得する。運転者選定方法は、複数の乗員の各々の動的状態と少なくとも１つの不完全自動運転区間の各々の自動運転レベルとに基づき、または、複数の乗員の各々の静的状態に基づき、複数の乗員のうち一の乗員を、一の不完全自動運転区間における車両の運転者として選定して運転者交代計画を策定し、運転者交代計画を複数の乗員のうち少なくとも１人の乗員に提示する。運転者選定方法は、動的状態に基づく運転者交代計画の策定については、車両が一の不完全自動運転区間に到達する前の予め定められたタイミングでその一の不完全自動運転区間について運転者交代計画を策定する。運転者策定方法は、静的状態に基づく運転者交代計画の策定については、走行経路の策定の後に少なくとも１つの不完全自動運転区間の各々について予め運転者交代計画を策定する。
【００３２】
以上の構成により、運転者選定方法は、運転者を選定するにあたり、完全自動運転区間から不完全自動運転区間の移行する時点で、静的状態または動的状態に基づく適当な運転適性度を有する運転者が車両に搭乗していない確率を低減する。運転者選定方法は、手動運転の実施時にいずれかの乗員の運転適性度が向上するまで、適当な駐車エリアで待機しなければならない状況を減少させる。
【００３３】
＜実施の形態２＞
実施の形態２における運転者選定装置および運転者選定方法を説明する。実施の形態２における運転者選定装置は、複数の乗員の各々の静的状態に基づいて運転者を選定し、運転者交代計画を策定する。実施の形態２は実施の形態１の下位概念であり、実施の形態２における運転者選定装置は、実施の形態１における運転者選定装置の各構成を含む。なお、実施の形態１と同様の構成および動作については説明を省略する。
【００３４】
図５は、本明細書における完全自動運転および不完全自動運転の定義と、自動運転レベルとの関係を示す図である。図５は、「官民ＩＴＳ構想・ロードマップ２０１７」から引用された図である。各自動運転レベルは、SAE J3016の定義に基づくものである。
【００３５】
本明細書では、自動運転レベル「０」から「３」のいずれかが設定された区間を不完全自動運転区間と定義する。すなわち、不完全自動運転区間とは、車両の運転に対し人間の関与が要求される、あるいは要求される可能性がある自動運転レベルが設定された区間である。例えば、自動運転レベル「３」において、車両の駆動に関係する全てのアクチュータは、原則として、後述する運転制御装置によって操作される。運転制御装置が車両の運転に対して運転手による関与を求めた場合には、運転者が車両を運転する。よって、本明細書では、自動運転レベル「３」が設定された区間は、不完全自動運転区間と定義する。
【００３６】
また、自動運転レベル「４」または「５」が設定された区間を完全自動運転区間と定義する。すなわち、完全自動運転区間とは、不完全自動運転区間以外の区間である。ただし、不完全自動運転区間および完全自動運転区間の各定義は、一例であって、上記に限定されるものではない。
【００３７】
図６は、実施の形態２における運転者選定装置１０１の構成を示すブロック図である。また、図６は、運転者選定装置１０１に関連して動作する装置として、乗員情報入力装置１２０、地図記憶装置１３０、表示装置１１１、音声出力装置１１２、操作装置１４０、周辺情報検出装置１５０および運転制御装置１６０を示している。
【００３８】
運転者選定装置１０１は、乗員情報記憶部３０、乗員情報取得部１０、測位部４０、地図取得部５０および運転計画部２０を有する。運転計画部２０は報知制御部２１を有する。以下に示す乗員情報記憶部３０、乗員情報取得部１０、測位部４０、地図取得部５０、運転計画部２０および報知制御部２１の各機能は、図２または図３に示される処理回路により実現される。
【００３９】
乗員情報入力装置１２０は、乗員の静的状態が入力される装置である。乗員情報入力装置１２０は、例えばタッチパネルである。その場合、乗員の静的状態は、乗員などユーザのタッチパネル操作により入力される。乗員の静的状態は、乗員の運転能力に関する情報を含む。乗員の運転能力に関する情報とは、例えば、乗員の基本情報または乗員の運転経験に関する情報である。乗員の基本情報とは、例えば、乗員の年齢、運転経験年数である。乗員の運転経験に関する情報とは、乗員が運転した経験のある道路の地形、車両の種類、天候等に基づく経験値である。
【００４０】
乗員情報記憶部３０は、乗員情報入力装置１２０により入力された乗員の静的状態を記憶する。図６において、乗員情報記憶部３０は、運転者選定装置１０１に設けられているが、サーバ（図示せず）など外部の装置に設けられていてもよい。
【００４１】
乗員情報取得部１０は、複数の乗員の各々の静的状態を取得する。実施の形態２において、乗員情報取得部１０は、乗員情報記憶部３０から各乗員の静的状態を取得する。乗員情報記憶部３０が、サーバ（図示せず）に設けられる場合、乗員情報取得部１０は、通信装置（図示せず）を介してサーバから各乗員の静的状態を取得する。
【００４２】
測位部４０は、ＧＮＳＳ（Global Navigation Satellite System）または車両センサ（図示せず）から取得する信号に基づき車両の現在位置を測定する。
【００４３】
地図記憶装置１３０は、車両走行用の地図を記憶している。その地図は、道路の区間ごとに設定された自動運転レベルの情報を含む。地図記憶装置１３０は、例えば、サーバに設けられる。ただし、地図記憶装置１３０は、運転者選定装置１０１に設けられていてもよい。
【００４４】
地図取得部５０は、地図記憶装置１３０から自動運転レベルの情報を含む地図を取得する。
【００４５】
運転計画部２０は、車両の現在位置と地図とに基づき、車両の走行経路を求める。また、運転計画部２０は、地図に含まれる自動運転レベルの情報に基づき、走行経路に含まれる不完全自動運転区間と完全自動運転区間とを求める。運転計画部２０は、その走行経路を含む自動運転走行計画を策定する。
【００４６】
運転計画部２０は、自動運転走行計画の策定の後、少なくとも１つの不完全自動運転区間の各々について、予め運転者交代計画を策定する。その際、運転計画部２０は、複数の乗員の各々の静的状態に基づき、複数の乗員のうち一の乗員を、一の不完全自動運転区間における車両の運転者として選定する。より詳細には、運転計画部２０は、静的状態に関する予め定められた運転者選定規則に従い、運転者を選定する。例えば、運転計画部２０は、自動運転走行計画に従って車両が走行する前に、走行経路に含まれる少なくとも１つの不完全自動運転区間の運転者を選定する。または例えば、運転計画部２０は、自動運転走行計画に従って車両が走行した後、走行経路に含まれるいずれかの不完全自動運転区間に到達する前のタイミングにおいて、それ以降の少なくとも１つの不完全自動運転区間の運転者を選定する。
【００４７】
運転計画部２０は、報知制御部２１を有する。報知制御部２１は、車両に搭載される報知装置に対して、車両の現在位置と運転者交代計画とを報知させる制御を行う。実施の形態２における報知制御部２１は、報知装置である表示装置１１１または音声出力装置１１２に対し、車両の現在位置、運転者交代計画および自動運転走行計画を報知させる制御を行う。実施の形態２における運転計画部２０は、報知制御部２１が上記の報知制御を行うことにより、運転者交代計画を少なくとも１人の乗員に提示する。
【００４８】
表示装置１１１および音声出力装置１１２は、報知装置の一例である。表示装置１１１および音声出力装置１１２は、車両に搭載されている。音声出力装置１１２は、例えばスピーカであり、表示装置１１１と一体の装置であってもよい。表示装置１１１は、運転計画部２０の制御に従い、運転者交代計画および自動運転走行計画を表示する。または音声出力装置１１２は、運転計画部２０の制御に従い、運転者交代計画および自動運転走行計画を音声出力する。
【００４９】
操作装置１４０は、車両に搭乗する乗員の操作による操作情報が入力される装置である。
【００５０】
周辺情報検出装置１５０は、運転制御装置１６０が自動運転制御を行うために必要な車両の周辺情報を検出する。周辺情報検出装置１５０は、例えば、カメラ、レーザレーダ、超音波センサ、ミリ波レーダなどである。
【００５１】
運転制御装置１６０は、車両の走行を制御する。自動運転レベル「４」以上の完全自動運転区間においては、運転制御装置１６０は、車両の駆動に関係するアクチュータを操作する。それにより、車両は自動運転制御される。
【００５２】
図７は、実施の形態２における運転者選定装置１０１の全体動作および運転者選定方法を示すフローチャートである。
【００５３】
ステップＳ１０にて、運転者選定装置１０１は、自動運転走行計画の策定を行う。図８は、実施の形態２における自動運転走行計画の策定動作を示すフローチャートであり、ステップＳ１０の詳細を示す。
【００５４】
ステップＳ１１にて、運転計画部２０は、測位部４０にて測定された車両の現在位置を取得する。この際、運転計画部２０の報知制御部２１は、表示装置１１１に現在位置を示す地図を表示させる制御を行ってもよい。それにより、表示装置１１１に現在位置を示す地図が表示される。
【００５５】
ステップＳ１２にて、運転計画部２０は、乗員によって操作装置１４０に入力された目的地を取得する。運転計画部２０は、地図記憶装置１３０から地図取得部５０を介して地図を取得する。
【００５６】
ステップＳ１３にて、運転計画部２０は、目的地および地図に基づき、予め定められた経路探索方法によって、目的地までの走行経路を計算する。運転計画部２０は、地図に含まれる自動運転レベルの情報に基づき、走行経路における完全自動運転区間と不完全自動運転区間とを求める。以上により、自動運転走行計画が策定される。
【００５７】
ステップＳ１４にて、報知制御部２１は、自動運転走行計画を表示装置１１１に表示させる制御を行う。表示装置１１１は、その制御に従い、自動運転走行計画に基づく走行経路を表示する。この際、表示装置１１１は、完全自動運転区間と不完全自動運転区間とが識別可能なように表示する。また、表示装置１１１は、各区間の自動運転レベルが識別可能なように表示してもよい。
【００５８】
図９は、表示装置１１１に表示される自動運転走行計画に基づく走行経路を示す図である。不完全自動運転区間は破線で表示されている。出発地点Ｓから第１地点Ｗ１までの区間は、自動運転レベル「０」の不完全自動運転区間である。第１地点Ｗ１から第２地点Ｗ２までの区間は、自動運転レベル「４」の完全自動運転区間である。第２地点Ｗ２から第３地点Ｗ３までの区間は、自動運転レベル「３」の不完全自動運転区間である。第３地点Ｗ３から第４地点Ｗ４までの区間は、自動運転レベル「５」の完全自動運転区間である。第４地点Ｗ４から目的地Ｄまでの区間は、自動運転レベル「２」の不完全自動運転区間である。
【００５９】
以上で、自動運転走行計画の策定動作は終了し、図７に示されるステップＳ２０が実行される。
【００６０】
ステップＳ２０にて、運転者選定装置１０１は、静的状態に基づく運転者交代計画の策定を行う。図１０は、実施の形態２における静的状態に基づく運転者交代計画の策定動作を示すフローチャートであり、ステップＳ２０の詳細を示す。
【００６１】
ステップＳ２１にて、報知制御部２１は、運転者交代計画策定ボタンを表示装置１１１に表示させる制御を行う。図１１は、表示装置１１１に表示される運転者交代計画策定ボタンと自動運転走行計画とを示す図である。
【００６２】
ステップＳ２２にて、運転計画部２０は、運転者交代計画策定をオンにする信号を受け付けたか否かを判定する。運転者交代計画策定をオンにする信号とは、運転者交代計画策定ボタンが押されることによって生じる信号である。運転計画部２０がその信号を受け付けた場合、ステップＳ２５が実行される。運転計画部２０がその信号を受け付けない場合、ステップＳ２３が実行される。
【００６３】
ステップＳ２３にて、運転計画部２０は、予め定められた時間が経過したか否かを判定する。予め定められた時間は、例えば５分である。予め定められた時間が経過した場合、ステップＳ２４が実行される。予め定められた時間が経過していない場合、再びステップＳ２２が実行される。
【００６４】
ステップＳ２４にて、運転計画部２０は、運転者交代計画フラグをオフに設定する。
【００６５】
ステップＳ２５にて、乗員情報取得部１０は、複数の乗員の各々の静的状態を取得する。ここでは、一例として、乗員情報取得部１０は、車両に搭乗する乗員Ａ、乗員Ｂ、乗員Ｃの３人の乗員の各静的状態を取得する。
【００６６】
図１２は、乗員の静的状態および運転適性度の一例を示す図である。ここでは、運転適性度は、乗員の静的状態に基づいて３段階の点数により表され、点数が大きいほど有利である。
【００６７】
乗員の静的状態は、乗員の運転能力に関する情報を含む。乗員の運転能力に関する情報とは、乗員の基本情報または乗員の運転経験に関する情報である。
【００６８】
乗員の基本情報とは、乗員の年齢、運転経験年数である。乗員の年齢が高いほど、疲れやすいことが予想されるため、運転適性度として低い点数が付与される。例えば、４０歳未満の乗員に３点、４０歳以上５５歳未満の乗員に２点、５５歳以上の乗員に１点が付与される。また、運転経験年数が長いほど、運転適性度として高い点数が付与される。１０年以上の運転経験年数の乗員に３点、５年以上１０年未満の運転経験年数の乗員に２点、５年未満の運転経験年数の乗員に１点が付与される。
【００６９】
乗員の運転経験に関する情報とは、道路の地形ごと、車両の種類ごと、天候ごとの乗員の運転経験に関する情報を含む。図１２は、道路の地形ごとの運転経験、車類ごとの運転経験、天候ごとの運転経験のそれぞれに基づく運転適性度を示している。
【００７０】
ステップＳ２６にて、運転計画部２０は、静的状態に関する予め定められた運転者選定規則に従い、複数の乗員から各不完全自動運転区間の運転者を選定する。
【００７１】
静的状態に関する予め定められた運転者選定規則は、例えば、以下に示される規則Ｒ１から規則Ｒ６のいずれかである。
【００７２】
規則Ｒ１：年齢が高い乗員ほど、距離が短い不完全自動運転区間の運転者として優先的に選定する。
【００７３】
規則Ｒ２：年齢が高い乗員ほど、走行順序が早い不完全自動運転区間の運転者として優先的に選定する。
【００７４】
規則Ｒ３：運転経験年数が短い乗員ほど、距離が短い不完全自動運転区間の運転者として優先的に選定する。
【００７５】
規則Ｒ４：選定対象の不完全自動運転区間の道路地形に慣れた乗員を、その不完全自動運転区間の運転者として優先的に選定する。
【００７６】
規則Ｒ５：搭乗中の車種の運転に慣れた乗員を運転者として優先的に選定する。
【００７７】
規則Ｒ６：目的地までの走行経路において、乗員毎の運転回数または乗員毎の総運転距離の差が大きくならないように運転者を選定する。
【００７８】
運転者選定規則は、上記に限定されるものではない。運転計画部２０は、複数の規則の各々に対し適当な重み付け係数を適用して、運転適性度の合計点数から運転者を選定してもよい。または、運転計画部２０は、１つの規則を採用して運転者を選定してもよい。
【００７９】
ステップＳ２７にて、報知制御部２１は、運転者交代計画を表示装置１１１に表示させる制御を行う。図１３は、表示装置１１１に表示される運転者交代計画を示す図である。図１３に示される運転者交代計画は、上記の規則Ｒ２に基づき策定された計画である。最も年齢が若い乗員Ａが最終の不完全自動運転区間を運転する。
【００８０】
ステップＳ２８にて、運転計画部２０は、運転者交代計画フラグをオンに設定する。
【００８１】
以上で、運転者交代計画の策定動作は終了し、図７に示されるステップＳ３０が実行される。
【００８２】
ステップＳ３０にて、運転者選定装置１０１は、運転者交代計画に基づく運転者交代制御を行う。図１４は、実施の形態２における運転者交代計画に基づく運転者交代制御の動作を示すフローチャートであり、ステップＳ３０の詳細を示す。
【００８３】
ステップＳ３１にて、運転計画部２０は、測位部４０にて測定された車両の現在位置を再取得して更新する。
【００８４】
ステップＳ３２にて、報知制御部２１は、車両の現在位置を表示装置１１１に表示させる制御を行う。
【００８５】
ステップＳ３３にて、運転計画部２０は、車両が完全自動運転区間を走行しているか否かを判定する。車両が完全自動運転区間を走行している場合、ステップＳ３４が実行される。車両が不完全自動運転区間を走行している場合、ステップＳ３８が実行される。なお、運転制御装置１６０は、それぞれの運転モードに応じて車両の走行を制御する。
【００８６】
ステップＳ３４にて、運転計画部２０は、現時点が不完全自動運転区間に到達する前の予め定められたタイミングに該当するか否かを判定する。現時点が予め定められたタイミングに該当する場合、ステップＳ３５が実行される。予め定められたタイミングとは、例えば、予め定められた期間経過後に、車両が不完全自動運転区間に到達するタイミングである。現時点が予め定められたタイミングに該当しない場合、ステップＳ３８が実行される。
【００８７】
ステップＳ３５にて、運転計画部２０は、運転者交代計画フラグがオンであるか否かを判定する。運転者交代計画フラグがオフである場合、すなわち運転者交代計画が策定されていない場合、ステップＳ３６が実行される。運転者交代計画フラグがオンである場合、すなわち、運転者交代計画が策定されている場合、ステップＳ３７が実行される。
【００８８】
ステップＳ３６にて、報知制御部２１は、手動運転が必要である旨を報知装置に報知させる制御を行う。ここでは、報知装置は、表示装置１１１または音声出力装置１１２である。表示装置１１１または音声出力装置１１２は、その制御に従い、手動運転が必要である旨を乗員に、表示または音声により報知する。報知制御部２１は、例えば、運転者全員に手動運転が必要である旨を報知させる制御を行う。その後、乗員間で決定された運転者の情報が、操作装置１４０から特定の操作により運転計画部２０に入力される。乗員間で決定された運転者の情報が入力されない場合、車両制御装置は、適当な駐車スペースに車両を自動で駐車させる。
【００８９】
ステップＳ３７にて、報知制御部２１は、次期運転者を報知装置に報知させる制御を行う。ここでは、報知装置は、表示装置１１１または音声出力装置１１２である。表示装置１１１または音声出力装置１１２は、その制御に従い、次期運転者を乗員に、表示または音声により報知する。また、報知制御部２１は、次期運転者とともに、不完全自動運転区間が近づいている旨も、表示装置１１１または音声出力装置１１２に報知させる制御を行ってもよい。この際、運転計画部２０は、複数の乗員のうち少なくとも１人の乗員に対し次期運転者を報知することにより、運転者交代計画を提示する。その少なくとも１人は、次期運転者に該当する乗員を含む。
【００９０】
ステップＳ３８にて、運転計画部２０は、車両が目的地に到達したか否かを判定する。車両が目的地に到達していない場合、ステップＳ３１が再び実行される。車両が目的地に到達した場合、運転者交代計画に基づく運転者交代制御の動作は終了する。そして、図７に示される運転者選定装置１０１の全体動作および運転者選定方法が終了する。
【００９１】
運転者選定装置が予め運転者交代計画を策定する機能を有しない場合、運転者選定装置は、車両が不完全自動運転区間に到達する前に運転手を選定する必要がある。例えば、図１４に示されるステップＳ３６に相当する時点において、運転者選定装置は、運転適性度（バイタル状態に基づく値）または不完全自動運転区間の運転容易度に基づき、その時点で最も運転者として相応しい乗員を不完全自動運転区間の運転者として選定する。以下にその一例を示す。
【００９２】
図１５は、予め運転者交代計画を策定しない場合の走行経路および運転者の運転適性度の変化の一例を示す図である。図１５において、上側には走行経路が示され、下側にはその走行経路における運転適性度Ｐの変化の一例が示されている。
【００９３】
運転適性度Ｐは、例えば、各乗員のバイタル状態を正規化した値である。または、運転適性度Ｐは、運転者のバイタル状態と静的状態とに基づく値でもよい。バイタル状態とは、例えば各乗員の覚醒度である。乗員が完全に覚醒している時のバイタル状態は１．０であり、睡眠している時のバイタル状態は０．０である。運転適性度に関して予め手動運転適性閾値Ｐｔｈが設定されており、運転者選定装置は、その手動運転適性閾値Ｐｔｈ以上の運転適性度Ｐを有する乗員を運転者として選定する。
【００９４】
出発地点Ｓから第１地点Ｗ１の間において、乗員Ａの運転適性度ＰＡ（ｔ），乗員Ｂの運転適性度ＰＢ（ｔ），乗員Ｃの運転適性度ＰＣ（ｔ）は、全て手動運転適性閾値Ｐｔｈ以上である。よって、３人の乗員のうちいずれの乗員も、その区間を運転してもよい。ここでは、例えば乗員Ｃが運転者である。
【００９５】
第１地点Ｗ１から第２地点Ｗ２の間は、完全自動運転区間であるため、乗員の誰も車両を運転しない。車両が次の不完全自動運転区間の始端である第２地点Ｗ２に到達する前の予め定められたタイミングｔ１において、運転者選定装置は、全ての乗員の運転適性度を計算する。運転者選定装置は、最も運転適性度が高い乗員Ｂを選定し、乗員Ｂが次の運転者である旨を報知する。
【００９６】
同様に、第３地点Ｗ３から第４地点Ｗ４の間の完全自動運転区間を走行する車両が、次の不完全自動運転区間の始端である第４地点Ｗ４に到達する前の予め定められたタイミングｔ２において、運転者選定装置は、その時の運転適性度に基づき運転者を選定する。運転者選定装置は、タイミングｔ２において最も運転適性度が高い乗員Ａを運転者として選定する。
【００９７】
しかし、タイミングｔ１もしくはｔ２で選定された運転者は、予め運転する心構えができていない可能性がある。その場合、運転に対し身体的または心理的余裕がない状態で、運転者は運転を開始せざるを得ない。または、その時点で、全ての乗員の運転適性度が手動運転適性閾値Ｐｔｈを満たさない状態が発生する可能性もある。
【００９８】
図１６は、走行経路および運転者の運転適性度の変化の別の一例を示す図である。タイミングｔ１において、いずれの乗員の運転適性度ＰＡ（ｔ），ＰＢ（ｔ），ＰＣ（ｔ）も、手動運転適性閾値Ｐｔｈより小さい。したがって、車両が不完全自動運転区間の始点である第２地点Ｗ２に到着したタイミングｔ０で、車両制御装置は車両を駐車させる。車両の乗員は、いずれかの乗員の運転適性度が向上するのを待つ。そして、運転適性度が改善した乗員が、運転手として車両を運転する。このように、乗員の誰もが手動運転適性閾値Ｐｔｈを満たさない状況が発生する。
【００９９】
一方で、実施の形態２における運転者選定装置１０１は、予め運転者交代計画を策定する機能を有する。上述したように、運転者選定装置１０１は、予め各不完全自動運転区間の運転者を選定し、図１３に示されるような運転者交代計画を乗員に提示する。例えば、運転者選定装置１０１は、車両が出発地点Ｓを出発する前に、各不完全自動運転区間の運転者を乗員に提示する。よって、乗員Ｂは、第２地点Ｗ２から第３地点Ｗ３までの不完全自動運転区間を運転すべきことを予め認知している。乗員Ｂは、第２地点Ｗ２に近づく前に、自身の運転適性度ＰＢ（ｔ）を向上させるように、自らに意識して働きかける。図１７は、実施の形態２における走行経路および運転者の運転適性度の変化の一例を示す図である。第２地点Ｗ２において、乗員Ｂの運転適性度ＰＢ（ｔ）は、手動運転適性閾値Ｐｔｈを上回っており、車両を運転可能である。
【０１００】
以上をまとめると、実施の形態２における運転者選定装置１０１は、乗員情報取得部１０と運転計画部２０と、を含む。乗員情報取得部１０は、複数の乗員の各々の静的状態を取得する。運転計画部２０は、複数の乗員の各々の静的状態に基づき、複数の乗員のうち一の乗員を、一の不完全自動運転区間における車両の運転者として選定して運転者交代計画を策定し、運転者交代計画を複数の乗員のうち少なくとも１人の乗員に提示する。運転計画部２０は、走行経路の策定の後に少なくとも１つの不完全自動運転区間の各々について予め運転者交代計画を策定する。
【０１０１】
運転者選定装置１０１は、例えば、車両が自動運転走行計画に従って走行する前に、走行経路に含まれる少なくとも１つの不完全自動運転区間の運転者を予め選定する。または例えば、運転者選定装置１０１は、車両が自動運転走行計画に従って走行した後、走行経路に含まれるいずれかの不完全自動運転区間に到達する前のタイミングにおいて、それ以降の少なくとも１つの不完全自動運転区間の運転者を予め選定する。また、その際、運転者選定装置１０１は、複数の乗員の各々の静的状態に基づいて運転者を選定する。このように、運転者選定装置１０１が予め運転者交代計画を策定し、乗員に提示することにより、不完全自動運転区間の運転者として選定された乗員は、運転開始時期に合わせて自ら運転適性度を向上させることができる。また、その他の乗員も、選定された乗員に対し、運転に備えさせるような配慮や働きかけを行うことが可能である。それゆえ、運転者選定装置１０１は、運転者を選定するにあたり、完全自動運転区間から不完全自動運転区間の移行する時点で、適当な運転適性度を有する運転者が車両に搭乗していない確率を低減することができる。運転者選定装置１０１は、手動運転の実施時にいずれかの乗員の運転適性度が向上するまで、適当な駐車エリアで待機しなければならない状況を減少させる。
【０１０２】
また、実施の形態２における運転者選定装置１０１は、測位部４０と地図取得部５０と、をさらに含む。測位部４０は、車両の現在位置を測定する。地図取得部５０は、道路の区間ごとに設定された自動運転レベルの情報を含む地図を取得する。運転計画部２０は、車両の現在位置と地図とに基づき、車両の走行経路を求め、地図に含まれる自動運転レベルの情報に基づき、走行経路に含まれる少なくとも１つの不完全自動運転区間を求める。
【０１０３】
このような構成により、運転者選定装置１０１は、車両の運転に対し人間の関与が要求される、あるいは要求される可能性がある自動運転レベルが設定された、少なくとも１つの不完全自動運転区間を含む車両の走行経路を策定する。運転者選定装置１０１は、少なくとも１つの不完全自動運転区間の各々における車両の運転に関与する運転者を、車両に搭乗する複数の乗員から選定して提示する。
【０１０４】
また、実施の形態２における運転者選定装置１０１の運転計画部２０は、複数の乗員の各々の静的状態に関する予め定められた運転者選定規則に従い、複数の乗員のうち一の乗員を、一の不完全自動運転区間における車両の運転者として選定する。
【０１０５】
このような構成により、運転者選定装置１０１は、運転者を選定するにあたり、完全自動運転区間から不完全自動運転区間の移行する時点で、静的状態に基づく適当な運転適性度を有する運転者が車両に搭乗していない確率を低減する。運転者選定装置１０１は、手動運転の実施時にいずれかの乗員の運転適性度が向上するまで、適当な駐車エリアで待機しなければならない状況を減少させる。
【０１０６】
また、実施の形態２における運転者選定装置１０１において、複数の乗員の各々の静的状態は、複数の乗員の各々が有する車両の運転能力を含む。
【０１０７】
このような構成により、運転者選定装置１０１は、乗員の運転能力に応じて運転者を選定することができる。
【０１０８】
また、実施の形態２における運転者選定装置１０１の運転計画部２０は、車両に搭載される報知装置に対して、車両の現在位置と運転者交代計画とを報知させる制御を行う報知制御部２１を含む。運転計画部２０は、報知制御部２１が制御を行うことにより、運転者交代計画を少なくとも１人の乗員に提示する。
【０１０９】
このような構成により、運転者選定装置１０１は、不完全自動運転区間の運転者として選定された乗員は、いつどこで車両を運転すべきかを認知することができる。運転者に選定された乗員は、運転開始時期に合わせて自ら運転適性度を向上させる。また、その他の乗員も選定された乗員に対し、運転に備えさせるような配慮や働きかけを行うことが可能である。
【０１１０】
（実施の形態２の変形例１）
実施の形態２の変形例１における運転計画部２０は、自動運転走行計画に従って、運転制御装置１６０の自動運転モードを制御する。その自動運転モードは、道路の区間ごとに設定された自動運転レベルに基づくものである。また、運転計画部２０は、運転制御装置１６０から取得する自動運転モードや種々の情報を、表示装置１１１に表示させる制御を行ってもよい。
【０１１１】
（実施の形態２の変形例２）
実施の形態２の変形例２において、静的状態に関する予め定められた運転者選定規則は、複数の乗員の各々が有する運転能力と、少なくとも１つの不完全自動運転区間の各々の運転難易度と、に基づいて定められる。すなわち、運転計画部２０は、図１２に示されるような乗員の静的状態である運転能力に関する情報に、不完全自動運転区間の運転難易度に関する情報を加味して、運転者を選定する。運転難易度は、例えば、以下に示す情報に基づき、運転計画部２０によって求められる。
【０１１２】
運転難易度は、例えば、走行経路における道路状態であって、車両の走行中に変化しない道路状態である静的道路状態に基づいて計算される。静的道路状態とは、道路の構造、形状、目的地までの右左折の回数などである。道路の構造とは、分合流などである。道路の形状とは、カーブなどである。道路の構造および形状は、地図データベースから取得される。
【０１１３】
または、運転難易度は、例えば、走行経路における道路の状態であって、車両の走行中に変化する状態である動的道路状態に基づいて計算される。動的道路状態とは、車両の走行時の交通状況、天候、車外の照度、自動運転レベルなどである。天候および車外の照度は、走行経路とともに求められる各区間の予想走行時刻に基づき推定される。
【０１１４】
運転難易度は、上記の項目の２つ以上の組み合わせによって計算されてもよい。
【０１１５】
実施の形態２の変形例２において、静的状態に関する予め定められた運転者選定規則は、例えば、以下に示される規則Ｒ７から規則Ｒ１０のいずれかである。
【０１１６】
規則Ｒ７：運転経験年数が短い乗員ほど、運転難易度が小さい不完全自動運転区間の運転者として優先的に選定する。
【０１１７】
規則Ｒ８：運転経験年数が短い乗員ほど、自動運転レベルが高い不完全自動運転区間の運転者として優先的に選定する。
【０１１８】
規則Ｒ９：予想走行時刻における交通状態を予測し、運転経験年数が短い乗員ほど、車両密度が高い不完全自動運転区間を避けて運転者を選定する。
【０１１９】
規則Ｒ１０：予想走行時刻またはその時刻における天候に慣れた乗員を運転者として選定する。
【０１２０】
図１８は、実施の形態２の変形例２における運転者交代計画を示す図である。図１８は、予め定められた運転者選定規則として上記の規則Ｒ８が適用された結果を示している。第２地点Ｗ２から第３地点Ｗ３の間の不完全自動運転区間の自動運転レベルは「３」である。３つの不完全自動運転区間のうち、自動運転レベルが最も高い区間である。また、図１２に示されるように、３人の乗員のうち、乗員Ａが最も運転経験年数が短い。運転計画部２０は、規則Ｒ８に従い、乗員Ａを、第２地点Ｗ２から第３地点Ｗ３までの不完全自動運転区間の運転者として選定する。
【０１２１】
以上をまとめると、実施の形態２の変形例２において、複数の乗員の各々の静的状態に関する予め定められた運転者選定規則は、複数の乗員の各々が有する運転能力と、少なくとも１つの不完全自動運転区間の各々の運転難易度と、に基づいて定められる。
【０１２２】
このような構成により、運転者選定装置は、各不完全自動運転区間に適した運転者の選定を実現する。
【０１２３】
また、実施の形態２の変形例２において、少なくとも１つの不完全自動運転区間の各々の運転難易度は、少なくとも１つの不完全自動運転区間の各々の自動運転レベルに基づいて決定されてもよい。
【０１２４】
このような構成により、運転者選定装置は、各不完全自動運転区間に適した運転者の選定を実現する。
【０１２５】
また、実施の形態２の変形例２において、少なくとも１つの不完全自動運転区間の各々の運転難易度は、少なくとも１つの不完全自動運転区間の各々における道路形状または走行周辺環境に基づいて決定されてもよい。
【０１２６】
このような構成により、運転者選定装置は、各不完全自動運転区間に適した運転者の選定を実現する。
【０１２７】
また、実施の形態２の変形例２において、道路形状は、道路の構造、または、走行経路における右左折の回数を含む。
【０１２８】
このような構成により、運転者選定装置は、各不完全自動運転区間の道路の状況に応じた運転者の選定を実現する。
【０１２９】
また、実施の形態２の変形例２において、走行周辺環境は、車両の周辺を走行する他の車両の存在密度、または、天候を含む。
【０１３０】
このような構成により、運転者選定装置は、各不完全自動運転区間において時々刻々と変化する状況に応じた運転者の選定を実現する。
【０１３１】
（実施の形態２の変形例３）
１つの不完全自動運転区間内に複数の自動運転レベルが設定されている場合、運転計画部２０は、それら複数の自動運転レベルと特定の規則とに基づき、運転難易度を求める。例えば、１つの不完全自動運転区間のうち、１／２の区間が自動運転レベル「３」で走行可能な区間であり、残りの１／２の区間が自動運転レベル「２」で走行可能な区間である場合、運転計画部２０は、各区間の自動運転レベルの平均値を算出する。そして、運転計画部２０は、自動運転レベル「２．５」が設定された不完全自動運転区間として、その区間の運転難易度を求めてもよい。
【０１３２】
（実施の形態２の変形例４）
実施の形態２の変形例４における運転計画部２０は、運転能力が高い乗員ほど、複数の不完全自動運転区間のうち、後方の不完全自動運転区間の運転者として優先的に選定する。すなわち、複数の乗員の各々の静的状態に関する予め定められた運転者選定規則は、複数の乗員の各々が有する運転能力と、複数の不完全自動運転区間の車両の走行順序と、に基づいて定められる。運転計画部２０は、複数の乗員のうち、高い運転能力を有する乗員ほど、走行順序が後方の不完全自動運転区間の運転者として選定する。
【０１３３】
または、運転計画部２０は、運転能力が高い乗員ほど、複数の不完全自動運転区間のうち、距離が長い不完全自動運転区間の運転者として優先的に選定してもよい。または、運転計画部２０は、運転能力が高い乗員ほど、多くの不完全自動運転区間を運転する運転者として優先的に選定してもよい。
【０１３４】
（実施の形態２の変形例５）
実施の形態２の変形例５における乗員情報取得部１０は、乗員毎の降車予定、つまり複数の乗員の各々が到達すべき目的地を、静的状態として取得する。運転計画部２０は、最終目的地よりも早期に降車する乗員を、走行順序が前方の不完全自動運転区間の運転者として優先的に選定する。すなわち、複数の乗員の各々の静的状態に関する予め定められた運転者選定規則は、車両の現在位置から目的地までの到達順序と、走行経路に含まれる少なくとも１つの不完全自動運転区間の走行順序と、に基づいて定められる。運転計画部２０は、複数の乗員のうち、到達順序が早い乗員ほど、走行順序が前方の不完全自動運転区間の運転者として選定する。
【０１３５】
（実施の形態２の変形例６）
実施の形態２の変形例６における車両は、シートを移動させることによって車両内のシートの配置を変更するシート移動装置を有する。図１９は、実施の形態２の変形例６における運転者選定装置１０２の構成を示すブロック図である。運転者選定装置１０２は、実施の形態２の構成に加え、シート移動制御部６０をさらに有する。
【０１３６】
シート移動制御部６０は、運転者交代計画が策定された不完全自動運転区間のうち、車両が次に走行する次期不完全自動運転区間の運転者である次期運転者が着座するシートを、次期運転者の運転に適した位置に移動させる制御を、シート移動装置１７０に対して行う。次期運転者の運転に適した位置とは、例えば、ハンドルと向かい合う位置、つまり運転席である。
【０１３７】
または、車両の運転操作装置が車内で自由に移動できる車両である場合、次期運転者の運転に適した位置とは、例えば、車両の進行方向が視認できる位置である。次期運転者は、運転操作装置を有線または無線で操作することにより運転制御装置１６０に制御信号を送信する。なお、実施の形態２の変形例６における運転操作装置とは、例えば、ハンドル、ブレーキ、アクセルの機能を操作可能なリモコンである。
【０１３８】
図２０および図２１は、シート移動装置１７０が設けられた車両におけるシート２の配置を示す図である。前方の２つのシート２Ｂ，２Ｃと後方の２つのシート２Ａ，２Ｄとが向かい合って配置されている。ここで、次期運転者が後方のシート２Ａに着座している場合、シート移動制御部６０は、シート２Ａがハンドル３と向かい合う位置に移動させる制御を行う。例えば、シート移動制御部６０は、４つのシート２の配置を反時計回りに移動させる制御を行う。また、その際、シート移動制御部６０は、４つのシート２のそれぞれが車両の前方を向くように、シート２Ｂおよびシート２Ｃを１８０度回転させる制御を行う。シート移動装置１７０は、それら制御に従って、各シート２を移動させ、シート２の配置を変更する。図２２は、シート移動後のシート２の配置を示す図である。以上の移動により、次期運転者が着座するシート２Ａは、運転席の位置に移動する。
【０１３９】
実施の形態２の変形例６における運転者選定装置１０２は、次期運転者が運転席に着座するために車両を駐停車させる計画を含めた自動運転走行計画または運転者交代計画を策定する必要がない。
【０１４０】
（実施の形態２の変形例７）
実施の形態２の変形例７における車両には、実施の形態２の変形例６に示されたシート移動装置が設けられていない。シートの配置が車内で変更不可能な場合、運転計画部２０は、適当な駐停車地点で各乗員の着座位置を交代できるような運転者交代計画を策定してもよい。
【０１４１】
（実施の形態２の変形例８）
実施の形態２の変形例８における運転計画部２０は、次期運転者以外の他の乗員が自ら次の不完全自動運転区間を運転する旨の入力操作信号を操作装置１４０から受け付ける。運転計画部２０は、その入力操作信号に基づき、運転者交代計画を再策定する。
【０１４２】
このような、運転者選定装置は、運転意思の高く自ら運転者に立候補する他の乗員を運転者として選定することができる。また、運転者選定装置は、次期運転者のバイタル状態が低下している場合に、自ら運転者に立候補する他の乗員を運転者として選定することができる。また、運転者選定装置は、次期運転者が、他の乗員が運転者に立候補する申し出を承認する操作入力フロー、または、拒絶する操作入力フローを制御してもよい。
【０１４３】
（実施の形態２の変形例９）
実施の形態２の変形例９において、各乗員に対し共通の表示装置１１１が車両に設けられている。その表示装置１１１は、指向性を有する音声出力装置を含む。また、運転者選定装置は、複数の乗員の各々が着座する位置を予め取得している。
【０１４４】
報知制御部２１は、次期運転者として選定された乗員を除く他の乗員が着座する方向よりも、その次期運転者が着座する方向に音声を出力させる制御を行う。音声出力装置１１２は、その制御に従い、次期運転者が着座する方向に音声を出力する。
【０１４５】
このような構成により、運転者選定装置は、次期運転者は、正確に自身が運転する不完全自動運転区間を認知することができる。次期運転者は、運転開始時期に合わせて自ら運転適性度を向上させる。また、その他の乗員も次期運転者に対し、運転に備えさせるような配慮や働きかけを行うことが可能である。
【０１４６】
＜実施の形態３＞
実施の形態３における運転者選定装置および運転者選定方法を説明する。実施の形態３は実施の形態１の下位概念であり、実施の形態３における運転者選定装置は、実施の形態１における運転者選定装置の各構成を含む。なお、実施の形態１または２と同様の構成および動作については説明を省略する。
【０１４７】
実施の形態３における運転計画部２０は、乗員のバイタル状態である動的情報を取得し、次期運転者が運転を開始する前に、次期運転者が運転に適した状態であるか否かを検知する。図２３は、実施の形態３における運転者選定装置１０３の構成を示すブロック図である。以下に示す乗員情報取得部１０および運転計画部２０の各機能は、図２または図３に示される処理回路により実現される。
【０１４８】
乗員状態検出装置１８０は、複数の乗員の各々の状態であって、搭乗中に時間的に変化する状態である動的状態を検出する。動的状態は、バイタル状態を含む。バイタル状態とは、体重の移動頻度、瞬きの回数、まぶたの開口度、刺激に対する反応度、呼吸数、血圧値、心拍数、体温などである。乗員状態検出装置１８０は、例えば、着座センサ、車内カメラ、血圧計、体温計などである。
【０１４９】
乗員情報取得部１０は、完全自動運転区間を走行中に、車両が次に走行する次期不完全自動運転区間に到達する前の予め定められたタイミングで、動的状態を取得する。予め定められたタイミングとは、例えば、次期不完全自動運転区間に到達する１５分前である。図２３においては、乗員情報取得部１０は、乗員状態検出装置１８０から動的状態を直接取得しているが、一旦、乗員状態検出装置１８０から乗員情報記憶部３０に保存された動的状態を取得してもよい。
【０１５０】
運転計画部２０は、次期運転者の動的状態に基づく運転適性度が、予め定められた基準を満たしているか否かを判定する。その予め定められた基準とは、心理的な観点または運動能力の観点から、乗員が十分な運転適性度を有していることを示す基準である。予め定められた基準とは、例えば、乗員の覚醒度が基準値以上であること、または、乗員のタスクに対する反応時間が基準値以上であることを含む。動的状態に基づく運転適性度が予め定められた基準を満たしている場合、運転計画部２０は、次期運転者である乗員を、そのまま次期運転者として再認定する。動的状態に基づく運転適性度が予め定められた基準を満たしていない場合、車両制御装置は、運転計画部２０の制御に従い、車両が不完全自動運転区間に到達する前に、車両を適当な地点で自動的に駐停車させる。
【０１５１】
（実施の形態３の変形例）
実施の形態３の変形例における運転計画部２０は、動的状態に基づく運転適性度が予め定められた基準を満たしていない場合、次期運転者を除く少なくとも１人の乗員から、次期不完全自動運転区間における車両の運転者を再選定する。
【０１５２】
運転計画部２０は、例えば、次期運転者を除く他の乗員のうち、運転適性度が予め定められた基準を満たす乗員が存在するか否かを検出する。予め定められた基準を満たす乗員が存在している場合、運転計画部２０は、その乗員を次期不完全自動運転区間の運転者として選定し、運転者選定計画を再策定する。さらに運転計画部２０は、残りの不完全自動運転区間についても、運転者選定計画を再策定してもよい。
【０１５３】
以上をまとめると、実施の形態３の変形例における運転者選定装置の乗員情報取得部１０は、複数の乗員の各々の状態であって、搭乗中に時間的に変化する状態である動的状態を、運転者交代計画が策定された少なくとも１つの不完全自動運転区間のうち、車両が次に走行する次期不完全自動運転区間に到達する前の予め定められたタイミングで取得する。運転計画部２０は、次期不完全自動運転区間の運転者である次期運転者の動的状態に基づく運転適性度が予め定められた基準を満たさない場合に、次期運転者を除く少なくとも１人の乗員から、次期不完全自動運転区間における車両の運転者を再選定する。
【０１５４】
また、実施の形態３の変形例における運転者選定装置における次期運転者の動的状態は、次期運転者のバイタル状態を含む。
【０１５５】
このような構成により、運転者選定装置は、予め策定した運転者交代計画に基づく運転者が運転できないような状況に至った場合でも、新たな運転者交代計画を策定し、車両の走行を継続させることができる。運転者選定装置は、手動運転の実施時にいずれかの乗員の運転適性度が向上するまで、適当な駐車エリアで待機しなければならない状況を減少させる。
【０１５６】
＜実施の形態４＞
実施の形態４における運転者選定装置および運転者選定方法を説明する。実施の形態４は実施の形態１の下位概念であり、実施の形態４における運転者選定装置は、実施の形態１における運転者選定装置の各構成を含む。なお、実施の形態１から３のいずれかと同様の構成および動作については説明を省略する。
【０１５７】
図２４は、実施の形態４における運転者選定装置１０４の構成を示すブロック図である。運転者選定装置１０４は、図２３に示された構成に加え、通信部７０および遠隔運転インターフェース７１を有する。以下に示す通信部７０、遠隔運転インターフェース７１、乗員情報取得部１０および運転計画部２０の各機能は、図２または図３に示される処理回路により実現される。
【０１５８】
遠隔運転サービスセンタ１９０は、指定された車両の遠隔運転を実行する。例えば、遠隔運転サービスセンタ１９０は、車両との間で情報を送受信し、車両の走行を遠隔制御する。例えば、遠隔運転サービスセンタ１９０の車両オペレータは、指定車両と遠隔運転サービスセンタ１９０との間で情報を交換しながら、遠隔運転を実行する。
【０１５９】
通信網１９１は、インターネットである。通信網１９１は、運転者選定装置１０４と遠隔運転サービスセンタ１９０との間の通信を中継する。
【０１６０】
通信部７０は、遠隔運転サービスセンタ１９０と通信する。
【０１６１】
遠隔運転インターフェース７１は、遠隔運転サービスセンタ１９０に対し、通信部７０を介して遠隔運転に必要な車両情報を送信する。遠隔運転インターフェース７１は、遠隔運転サービスセンタ１９０が行う運転操作に関する遠隔操作情報を通信部７０を介して受信し、運転制御装置１６０に出力する。
【０１６２】
乗員情報取得部１０は、実施の形態３と同様に、車両が次に走行する次期不完全自動運転区間に到達する前の予め定められたタイミングで、乗員状態検出装置１８０から動的状態を取得する。予め定められたタイミングとは、例えば、次期不完全自動運転区間に到達する２０分前である。
【０１６３】
運転計画部２０は、次期運転者の動的状態に基づく運転適性度が、予め定められた基準を満たしているか否かを判定する。動的状態に基づく運転適性度が予め定められた基準を満たしている場合、運転計画部２０は、次期運転者である乗員を、そのまま次期運転者として再認定する。動的状態に基づく運転適性度が予め定められた基準を満たしていない場合、遠隔運転サービスセンタ１９０に、次期不完全自動運転区間における車両の遠隔運転を依頼する。
【０１６４】
また、運転計画部２０が遠隔運転サービスセンタ１９０から遠隔運転可能の信号を受信した場合、運転制御装置１６０は、遠隔運転インターフェース７１を介して遠隔運転サービスを受け付ける。運転計画部２０が遠隔運転可能の信号を受信しなかった場合、運転制御装置１６０は、車両が不完全自動運転区間に到達する前に、車両を適当な地点で自動的に駐停車させる。
【０１６５】
以上をまとめると、実施の形態４における運転者選定装置１０４の乗員情報取得部１０は、運転者交代計画が策定された少なくとも１つの不完全自動運転区間のうち、車両が次に走行する次期不完全自動運転区間の運転者である次期運転者の状態であって、搭乗中に時間的に変化する状態である動的状態を、車両が次期不完全自動運転区間に到達する前の予め定められたタイミングで取得する。運転計画部２０は、次期運転者の動的状態に基づく運転適性度が、予め定められた基準を満たさない場合に、車両を遠隔操作によって運転する遠隔運転サービスセンタ１９０に、次期不完全自動運転区間における車両の遠隔運転を依頼する。
【０１６６】
また、実施の形態４における運転者選定装置１０４における次期運転者の動的状態は、次期運転者のバイタル状態を含む。
【０１６７】
このような構成により、運転者選定装置１０４は、手動運転の実施時にいずれかの乗員の運転適性度が向上するまで、適当な駐車エリアで待機しなければならない状況を減少させる。
【０１６８】
（実施の形態４の変形例１）
次期運転者を含め全ての乗員の動的状態に基づく運転適性度が予め定められた基準を満たしていない場合、運転計画部２０は、遠隔運転サービスセンタ１９０に、次期不完全自動運転区間における車両の遠隔運転を依頼する。
【０１６９】
（実施の形態４の変形例２）
運転計画部２０が、遠隔運転インターフェース７１を含んでいてもよい。
【０１７０】
＜実施の形態５＞
実施の形態５における運転者選定装置および運転者選定方法を説明する。実施の形態５は実施の形態１の下位概念であり、実施の形態５における運転者選定装置は、実施の形態１における運転者選定装置の各構成を含む。なお、実施の形態１から４のいずれかと同様の構成および動作については説明を省略する。
【０１７１】
図２５は、実施の形態５における運転者選定装置１０５の構成を示すブロック図である。以下に示す報知制御部２１の機能は、図２または図３に示される処理回路により実現される。
【０１７２】
運転者選定装置１０５は、実施の形態１とは異なり、マルチＨＭＩ（Human Machine Interface）として複数の表示装置を有する。複数の表示装置は、車両に搭載され、複数の乗員毎に設けられている。実施の形態５においては、車両に搭乗する４人の乗員Ａ，Ｂ，Ｃ，Ｄのそれぞれに対し、第１表示装置１１１Ａ、第２表示装置１１１Ｂ、第３表示装置１１１Ｃおよび第４表示装置１１１Ｄが車両に搭載されている。すなわち、各乗員に専用の表示装置が設けられている。運転者選定装置１０５は、乗員とその乗員が使用する表示装置との対応関係を予め取得している。
【０１７３】
報知制御部２１は、各表示装置に対して、車両の現在位置と運転者交代計画とを表示させる制御を行う。報知制御部２１は、複数の表示装置のうち一の表示装置が表示する態様と、他の表示装置が表示する態様とが異なるように、表示制御を行う。一の表示装置は、次期不完全自動運転区間の運転者である次期運転者に、運転者交代計画を表示する。他の表示装置は、次期運転者を除く少なくとも１人の乗員つまり他の乗員に、運転者交代計画を表示する。
【０１７４】
ここでは、乗員Ｂが次期運転者である場合を説明する。第１表示装置１１１Ａ、第２表示装置１１１Ｂ、第３表示装置１１１Ｃおよび第４表示装置１１１Ｄは、それぞれ、報知制御部２１の表示制御に従い、乗員Ａ，Ｂ，Ｃ，Ｄに対して、車両の現在位置および運転者交代計画を表示する。図２６は、次期運転者のための表示装置に表示される運転者交代計画を示す図である。乗員Ｂのための表示装置である第２表示装置１１１Ｂは、自動運転区間（完全自動運転区間）、手動運転区間（不完全自動運転区間）および現在位置（図２６において△印）を表示する。また図２６は、車両が走行する区間が完全自動運転区間から不完全自動運転区間に移行する状態を示す図であり、上段、中段および下段の図は、車両が不完全自動運転区間の始端から３ｋｍ手前、１ｋｍ手前、不完全自動運転区間をそれぞれ走行中であることを示す図である。また、第２表示装置１１１Ｂは、車両が不完全自動運転区間に到達する前に、第２表示装置１１１Ｂを使用する乗員Ｂ自身が次期運転者である旨のメッセージを表示する。図２７は、他の乗員のための表示装置に表示される運転者交代計画を示す図である。他の表示装置である第１表示装置１１１Ａ、第３表示装置１１１Ｃおよび第４表示装置１１１Ｄは、第２表示装置１１１Ｂと同様に、自動運転区間、手動運転区間および現在位置を表示している。しかし、それら他の表示装置は、次期運転者が乗員Ｂであることをメッセージで表示している。このように、報知制御部２１は、４つの表示装置のうち一の表示装置（第２表示装置１１１Ｂ）が表示する態様と、他の表示装置（第１表示装置１１１Ａ、第３表示装置１１１Ｃおよび第４表示装置１１１Ｄ）が表示する態様とが異なるように、表示制御を行う。
【０１７５】
また、次期運転者のための第２表示装置１１１Ｂは、他の表示装置が表示する態様よりも、次期運転者に対し視覚容易性に優れる態様で、運転者交代計画を表示してもよい。また、同様に、次期運転者のための音声出力装置（図示せず）は、他の乗員のための音声出力装置（図示せず）が出力する音声の態様よりも、次期運転者に対し聴取容易性に優れた態様で音声を出力してもよい。
【０１７６】
以上をまとめると、実施の形態５における運転者選定装置１０５の運転計画部２０は、車両に搭載される複数の報知装置であって複数の乗員毎に設けられる複数の報知装置に対して、車両の現在位置と運転者交代計画とを報知させる制御を行う報知制御部２１を含む。運転計画部２０は、報知制御部２１がその制御を行うことにより、運転者交代計画を少なくとも１人の乗員に提示する。報知制御部２１は、複数の報知装置のうち一の報知装置が報知する態様と、他の報知装置が報知する態様とが異なるように、制御を行う。その一の報知装置は、運転者交代計画が策定された少なくとも１つの不完全自動運転区間のうち、車両が次に走行する次期不完全自動運転区間の運転者である次期運転者に、運転者交代計画を報知する。他の報知装置は、次期運転者を除く少なくとも１人の乗員に、運転者交代計画を報知する。
【０１７７】
このような構成により、運転者選定装置１０５は、次期運転者である乗員に対して、正確に運転者交代計画を提示することができる。次期運転者である乗員は、自身が次期運転者であることを正確に認知することができる。
【０１７８】
（実施の形態５の変形例１）
報知制御部２１は、次期運転者が使用する表示装置に対してのみ、運転者交代計画を表示させる制御を行う。次期運転者が使用する表示装置は、その制御に従い、その乗員自身が次期運転者であることを表示する。このような構成により、運転者選定装置の報知動作が、他の乗員を煩わせることがない。
【０１７９】
（実施の形態５の変形例２）
実施の形態５の変形例２において、各表示装置は音声出力装置（図示せず）を有する。報知制御部２１は、次期運転者が使用する音声出力装置に対してのみ、運転者交代計画を音声にて報知させる制御を行う。次期運転者が使用する表示装置の音声出力装置は、その制御に従い、乗員自身が次期運転者であることを音声にて報知する。この場合、各表示装置は、同一の態様で運転者交代計画を表示してもよいし、次期運転者が使用する表示装置と他の表示装置とが、異なる態様で運転者交代計画を表示してもよい。
【０１８０】
＜実施の形態６＞
実施の形態６における運転者選定装置および運転者選定方法を説明する。実施の形態６は実施の形態１の下位概念であり、実施の形態６における運転者選定装置は、実施の形態１における運転者選定装置の各構成を含む。なお、実施の形態１から５のいずれかと同様の構成および動作については説明を省略する。
【０１８１】
実施の形態６における運転者選定装置は、次期運転者のバイタル状態（運転適性度）が、予め定められた基準値を満たさない場合に、次期運転者のバイタル状態を向上させるように動作する。図２８は、実施の形態６における運転者選定装置１０６の構成を示すブロック図である。
【０１８２】
運転適性度改善装置２００は、運転者交代計画において運転者として選定された乗員の動的状態に基づく運転適性度を向上させる機能を有する。実施の形態６において、運転適性度改善装置２００は、複数の乗員の各々が着座する車両のシートに設けられたシート振動装置を含む。
【０１８３】
乗員状態検出装置１８０は、次期運転者の動的状態を検出する。乗員状態検出装置１８０は、例えば、次期運転者の動的状態を受動的に検知するパッシブドライバセンシング装置である。または、例えば、乗員状態検出装置１８０は、次期運転者の動的状態を能動的に検知するアクティブドライバセンシング装置である。アクティブドライバセンシング装置は、次期運転者にタスクを与えた後の次期運転者の反応を動的状態として検知する。
【０１８４】
乗員情報取得部１０は、実施の形態３と同様に、次期運転者の動的状態を、車両が次期不完全自動運転区間に到達する前の予め定められたタイミングで、乗員状態検出装置１８０から取得する。予め定められたタイミングとは、車両が次期不完全自動運転区間に到達する１５分前である。
【０１８５】
運転適性度制御部８０は、次期運転者の動的状態に基づく運転適性度が、予め定められた基準を満たさない場合に、運転適性度改善装置２００に対し、次期運転者の運転適性度を向上させる制御を行う。実施の形態６において、運転適性度制御部８０は、次期運転者が着座するシートに設けられたシート振動装置に対し、シートを振動させる制御を行う。シート振動装置は、その制御に従い、次期運転者のシートを振動させる。それにより、次期運転者のバイタル状態が向上する。
【０１８６】
運転適性度改善装置２００は、複数の乗員の各々に仮想的な運転操作を体験させるアプリケーションを実行する疑似運転装置であってもよい。その場合、運転適性度制御部８０は、次期運転者が使用する疑似運転装置に対し、そのアプリケーションを実行させる制御を行う。疑似運転装置は、その制御に従い、次期運転者にアプリケーションを提供する。それにより、次期運転者のバイタル状態が向上する。
【０１８７】
または、運転適性度改善装置２００は、複数の乗員の各々に対し音声で警報を出力する警報装置であってもよい。その場合、運転適性度制御部８０は、警報装置に対し、警報を音声で出力させる制御を行う。警報装置が警報を出力することにより、次期運転者のバイタル状態が向上する。
【０１８８】
＜実施の形態７＞
実施の形態７における運転者選定装置および運転者選定方法を説明する。実施の形態７における運転者選定装置は、複数の乗員の各々の動的状態と不完全自動運転区間の自動運転レベルとに基づいて運転者を選定し、運転者交代計画を策定する。実施の形態７は実施の形態１の下位概念であり、実施の形態７における運転者選定装置は、実施の形態１における運転者選定装置の各構成を含む。なお、実施の形態１から６のいずれかと同様の構成および動作については説明を省略する。
【０１８９】
図２９は、実施の形態７における運転者選定装置１０７の構成を示すブロック図である。また、図２９は、運転者選定装置１０７に関連して動作する装置として、乗員状態検出装置１８０、地図記憶装置１３０、表示装置１１１、音声出力装置１１２、操作装置１４０、周辺情報検出装置１５０および運転制御装置１６０を示している。
【０１９０】
運転者選定装置１０７は、乗員情報取得部１０、測位部４０、地図取得部５０および運転計画部２０を有する。運転計画部２０は報知制御部２１を有する。以下に示す乗員情報記憶部３０、乗員情報取得部１０、測位部４０、地図取得部５０、運転計画部２０および報知制御部２１の各機能は、図２または図３に示される処理回路により実現される。
【０１９１】
乗員状態検出装置１８０は、複数の乗員の各々の状態であって、搭乗中に時間的に変化する状態である動的状態を検出する。動的状態は、バイタル状態を含む。動的状態は、バイタル状態を含む。バイタル状態とは、体重の移動頻度、瞬きの回数、まぶたの開口度、刺激に対する反応度、呼吸数、血圧値、心拍数、体温などである。乗員状態検出装置１８０は、例えば、着座センサ、車内カメラ、血圧計、体温計などである。
【０１９２】
乗員情報取得部１０は、複数の乗員の各々の動的状態を取得する。実施の形態７において、乗員情報取得部１０は、乗員状態検出装置１８０から各乗員の動的状態を取得する。
【０１９３】
運転計画部２０は、車両の現在位置と地図とに基づき、車両の走行経路を求める。また、運転計画部２０は、地図に含まれる自動運転レベルの情報に基づき、走行経路に含まれる不完全自動運転区間と完全自動運転区間とを求める。運転計画部２０は、その走行経路を含む自動運転走行計画を策定する。
【０１９４】
運転計画部２０は、車両が不完全自動運転区間に到達する前の予め定められたタイミングで、その不完全自動運転区間ついて運転者交代計画を策定する。その際、運転計画部２０は、複数の乗員の各々の動的状態と不完全自動運転区間の自動運転レベルとに基づき、複数の乗員のうち一の乗員を、その不完全自動運転区間における車両の運転者として選定する。より詳細には、運転計画部２０は、動的状態に関する予め定められた運転者選定規則に従い、運転者を選定する。
【０１９５】
予め定められた運転者選定規則は、複数の乗員の各々のバイタル状態に基づく運転適性度に関する閾値によって定められる。その閾値は、不完全自動運転区間の自動運転レベルに応じて設定される。また、その閾値は、自動運転レベルが高いほど、高い値に定められている。運転計画部２０は、複数の乗員のうち、閾値よりも高い運転適性度を有する一の乗員を、運転者として選定する。このように、実施の形態７における運転計画部２０は、自動運転レベルが高い不完全自動運転区間においては、運転適性判断ロジックを緩める。そして、運転計画部２０は、運転適性度が低い乗員であっても運転者として選定し、運転を許可する。
【０１９６】
報知制御部２１、測位部４０、地図記憶装置１３０、地図取得部５０、操作装置１４０、表示装置１１１、音声出力装置１１２、周辺情報検出装置１５０および運転制御装置１６０の構成は実施の形態２と同様である。
【０１９７】
図３０は、実施の形態７における運転者選定装置１０７の全体動作および運転者選定方法を示すフローチャートである。
【０１９８】
ステップＳ１０にて、運転者選定装置１０７は、自動運転走行計画の策定を行う。図３１は、実施の形態７における自動運転走行計画の策定動作を示すフローチャートであり、ステップＳ１０の詳細を示す。
【０１９９】
ステップＳ１１にて、運転計画部２０は、測位部４０にて測定された車両の現在位置を取得する。運転計画部２０の報知制御部２１は、表示装置１１１に現在位置を示す地図を表示させる制御を行ってもよい。それにより、表示装置１１１に現在位置を示す地図が表示される。
【０２００】
ステップＳ１２にて、運転計画部２０は、操作装置１４０により入力された目的地を取得する。運転計画部２０は、地図記憶装置１３０から地図取得部５０を介して地図を取得する。
【０２０１】
ステップＳ１３にて、運転計画部２０は、目的地および地図に基づき、予め定められた経路探索方法によって、目的地までの走行経路を計算する。運転計画部２０は、地図に含まれる自動運転レベルの情報に基づき、走行経路における完全自動運転区間と不完全自動運転区間とを求める。以上により、自動運転走行計画が策定される。
【０２０２】
ステップＳ１４にて、報知制御部２１は、自動運転走行計画を表示装置１１１に表示させる制御を行う。表示装置１１１は、その制御に従い、自動運転走行計画に基づく走行経路を表示する。この際、表示装置１１１は、地図上に表示される走行経路において、完全自動運転区間と不完全自動運転区間とが識別可能なように表示する。また、表示装置１１１は、各区間の自動運転レベルが識別可能なように表示してもよい。例えば、表示装置１１１は、図９に示される自動運転走行計画を表示する。
【０２０３】
以上で、自動運転走行計画の策定動作は終了し、車両は自動運転走行計画に従い走行を開始する。その後に、図３０に示されるステップＳ４０が実行される。すなわち、実施の形態７における運転者選定装置１０７は、実施の形態２とは異なり、事前に運転者交代計画を策定しない。
【０２０４】
ステップＳ４０にて、運転計画部２０は、動的状態に基づく運転者交代計画の策定及び運転者交代制御を行う。図３２は、実施の形態７における動的状態に基づく運転者交代計画の策定および運転者交代制御動作を示すフローチャートであり、ステップＳ４０の詳細を示す。
【０２０５】
ステップＳ４１にて、運転計画部２０は、測位部４０にて測定された車両の現在位置を再取得して更新する。
【０２０６】
ステップＳ４２にて、報知制御部２１は、車両の現在位置を表示装置１１１に表示させる制御を行う。
【０２０７】
ステップＳ４３にて、運転計画部２０は、車両が完全自動運転区間を走行しているか否かを判定する。車両が完全自動運転区間を走行している場合、ステップＳ４４が実行される。車両が不完全自動運転区間を走行している場合、ステップＳ５１が実行される。なお、運転制御装置１６０は、それぞれの運転モードに応じて車両の走行を制御する。
【０２０８】
図３３は、実施の形態７における自動運転走行計画、運転者交代計画および運転適性度の変化を示す図である。ここでは、車両が自動運転走行計画に従い第１地点Ｗ１から第２地点Ｗ２までの完全自動運転区間を走行中に、運転計画部２０が、第２地点Ｗ２から第３地点Ｗ３までの不完全自動運転区間の運転者を選定する動作を説明する。
【０２０９】
ステップＳ４４にて、運転計画部２０は、現時点が不完全自動運転区間に到達する前の予め定められたタイミングに該当するか否かを判定する。予め定められたタイミングとは、例えば、予め定められた期間経過後に、車両が不完全自動運転区間に到達するタイミングである。ここでは、運転計画部２０は、車両の現在位置が不完全自動運転区間の始端である第２地点Ｗ２に到達する前の予め定められたタイミングｔ１に該当するか否かを判定する。なお、図３３においてタイミングｔ０とは、第２地点Ｗ２に到達するタイミングである。現時点が予め定められたタイミングに該当する場合、ステップＳ４５が実行される。現時点が予め定められたタイミングに該当しない場合、ステップＳ５１が実行される。
【０２１０】
ステップＳ４５にて、乗員情報取得部１０は、複数の乗員の各々の動的状態を、乗員状態検出装置１８０から取得する。ここでは、乗員情報取得部１０は、車両に搭乗する乗員Ａ、乗員Ｂ、乗員Ｃの３人の乗員の各動的状態を取得する。動的状態は、乗員のバイタル状態である。運転計画部２０は、各乗員のバイタル状態に基づき、各乗員の運転適性度Ｐを求める。図３３には、３人の乗員のそれぞれの運転適性度ＰＡ（ｔ），ＰＢ（ｔ），ＰＣ（ｔ）の変化が示されている。
【０２１１】
ステップＳ４６にて、運転計画部２０は、各乗員の動的状態と不完全自動運転区間の自動運転レベルとに基づき、複数の乗員から不完全自動運転区間の運転者を選定する。例えば、運転計画部２０は、タイミングｔ１における運転適性度ＰＡ（ｔ），ＰＢ（ｔ），ＰＣ（ｔ）と、第２地点Ｗ２から第３地点Ｗ３までの不完全自動運転区間の自動運転レベル「３」とに基づき、運転者を選定する。この際、運転計画部２０は、動的状態に関する予め定められた運転者選定規則に従い、運転者を選定する。
【０２１２】
動的状態に関する予め定められた運転者選定規則は、運転適性度に関する閾値によって定められる。運転適性度に関する閾値は、例えば、運転計画部２０によって設定される。運転適性度に関する閾値は、不完全自動運転区間の自動運転レベルに応じて設定される。運転適性度に関する閾値は、自動運転レベルが高いほど、高い値に設定される。式（１）は、自動運転レベル「ｎ」に応じた、運転適性度に関する閾値である手動運転適性閾値Ｐｔｈ（ｎ）を示す。
【０２１３】
【数１】
2020039530.tif 000003
【０２１４】
Ｐｔｈ０は、手動運転適性閾値の初期値である。Ｐ（Ｌｅｖ（ｎ））は、自動運転レベル「ｎ」に応じて定められる補正値である。実施の形態７において、Ｐ（Ｌｅｖ（ｎ））は、式（２）の関係を満たす。
【０２１５】
【数２】
2020039530.tif 000004
【０２１６】
図３３において、第２地点Ｗ２から第３地点Ｗ３までの不完全自動運転区間の自動運転レベルは「３」である。運転計画部２０は、自動運転レベル「３」に対応する手動運転適性閾値Ｐｔｈ（３）を求める。手動運転適性閾値Ｐｔｈ（３）は、初期値Ｐｈｔ０よりも低い。運転計画部２０は、手動運転適性閾値Ｐｔｈ（３）よりも高い運転適性度を有する乗員Ｂを運転者に選定する。
【０２１７】
ステップＳ４７にて、運転計画部２０は、運転適性度の閾値を満たす乗員が存在したか否かを判定する。運転適性度の閾値を満たす乗員が存在した場合、ステップＳ４８が実行される。運転適性度の閾値を満たす乗員が存在しない場合、ステップＳ４９が実行される。
【０２１８】
ステップＳ４８にて、報知制御部２１は、運転者交代計画に含まれる次期運転者を表示装置１１１または音声出力装置１１２に報知させる制御を行う。
【０２１９】
ステップＳ４９にて、報知制御部２１は、選定可能な乗員が存在しない旨を表示装置１１１または音声出力装置１１２に報知させる制御を行う。
【０２２０】
ステップＳ５０にて、運転制御装置１６０は、適切な駐車エリアまで車両を走行させる制御を行う。
【０２２１】
ステップＳ５１にて、運転計画部２０は、車両が目的地に到達したか否かを判定する。車両が目的地に到達していない場合、ステップＳ４１が再び実行される。車両が目的地に到達した場合、動的状態に基づく運転者交代計画の策定及び運転者交代制御の動作は終了する。図３０に示される運転者選定装置１０７の全体動作および運転者選定方法が終了する。
【０２２２】
以上をまとめると、実施の形態７における運転者選定装置１０７は、車両の運転に対し人間の関与が要求される、あるいは要求される可能性がある自動運転レベルが設定された、少なくとも１つの不完全自動運転区間を含む車両の走行経路について、少なくとも１つの不完全自動運転区間の各々における車両の運転に関与する運転者を、車両に搭乗する複数の乗員から選定して提示する。運転者選定装置１０７は、乗員情報取得部１０と運転計画部２０とを含む。乗員情報取得部１０は、複数の乗員の各々の状態であって搭乗中に時間的に変化する状態である動的状態を取得する。運転計画部２０は、複数の乗員の各々の動的状態と少なくとも１つの不完全自動運転区間の各々の自動運転レベルとに基づき、複数の乗員のうち一の乗員を、一の不完全自動運転区間における車両の運転者として選定して運転者交代計画を策定し、運転者交代計画を複数の乗員のうち少なくとも１人の乗員に提示する。運転計画部２０は、車両が一の不完全自動運転区間に到達する前の予め定められたタイミングで一の不完全自動運転区間について運転者交代計画を策定する。
【０２２３】
運転者選定装置１０７は、車両が自動運転走行計画に従って走行を開始した後に、その車両が次に走行する不完全自動運転区間の運転者を選定する。言い換えると、実施の形態７における運転者選定装置１０７は、実施の形態２とは異なり、車両が自動運転走行計画に従って走行を開始する前に、走行経路に含まれる不完全自動運転区間の運転者を予め選定することはない。また、運転者選定装置１０７は、複数の乗員の各々の動的状態と不完全自動運転区間の自動運転レベルとに基づいて運転者を選定する。運転者選定装置１０７は、自動運転レベルが高い不完全自動運転区間においては、運転適性判断ロジックを緩める。そして、運転者選定装置１０７は、運転適性度が低い乗員であっても運転者として選定し、運転を許可する。運転者選定装置１０７は、運転者を選定するにあたり、完全自動運転区間から不完全自動運転区間の移行する時点で、動的状態に基づく適当な運転適性度を有する運転者が車両に搭乗していない確率を低減することができる。運転者選定装置１０７は、手動運転の実施時にいずれかの乗員の運転適性度が向上するまで、適当な駐車エリアで待機しなければならない状況を減少させる。
【０２２４】
また、実施の形態７における運転者選定装置１０７の運転計画部２０は、複数の乗員の各々の動的状態に関する予め定められた運転者選定規則に従い、複数の乗員のうち一の乗員を、一の不完全自動運転区間における車両の運転者として選定する。
【０２２５】
また、実施の形態７において、複数の乗員の各々の動的状態は、複数の乗員の各々のバイタル状態を含む。複数の乗員の各々の動的状態に関する予め定められた運転者選定規則は、複数の乗員の各々のバイタル状態に基づく運転適性度に関する閾値であって、少なくとも１つの不完全自動運転区間の各々の自動運転レベルに応じて設定される閾値によって定められる。運転計画部２０は、複数の乗員のうち、閾値よりも高い運転適性度を有する一の乗員を、運転者として選定する。閾値は、自動運転レベルが高いほど、高い値に定められている。
【０２２６】
このような構成により、運転者選定装置１０７は、自動運転レベルが高い不完全自動運転区間において、適当な運転適性度を有する運転者が車両に搭乗していない確率を低減する。
【０２２７】
実施の形態７における運転者選定装置１０７は、矛盾のない範囲で、他の実施の形態に示された構成が組み合わされた構成を有してもよい。
【０２２８】
例えば、運転者選定装置１０７は、実施の形態２の変形例６に示された構成および機能を有していてもよい。または、例えば、運転者選定装置１０７は、実施の形態５に示された構成および機能を有していてもよい。または、例えば、運転者選定装置１０７は、実施の形態６に示された構成および機能を有していてもよい。
【０２２９】
＜実施の形態８＞
以上の各実施の形態に示された運転者選定装置は、ナビゲーション装置と、通信端末と、サーバと、これらにインストールされるアプリケーションの機能とを適宜に組み合わせて構築されるシステムにも適用することができる。ここで、ナビゲーション装置とは、例えば、ＰＮＤ（Portable Navigation Device）などを含む。通信端末とは、例えば、携帯電話、スマートフォンおよびタブレットなどの携帯端末を含む。
【０２３０】
図３４は、実施の形態８における運転者選定装置１００およびそれに関連して動作する装置の構成を示すブロック図である。
【０２３１】
運転者選定装置１００および通信装置がサーバ３００に設けられている。運転者選定装置１００は、車両１に設けられた乗員情報入力装置１２０から、通信装置２２０および通信装置２１０を介して、複数の乗員の各々の静的状態を取得する。または、運転者選定装置１００は、車両１に設けられた乗員状態検出装置１８０から、通信装置２２０および通信装置２１０を介して、複数の乗員の各々の動的状態を取得する。また、運転者選定装置１００は、地図記憶装置１３０から地図を取得し、走行経路における不完全自動運転区間の情報を取得する。運転者選定装置１００は、各乗員の静的状態に基づき、または動的状態と不完全自動運転区間の自動運転レベルとに基づき、運転者交代計画を策定する。運転者選定装置１００は、車両１に設けられた報知装置１１０に、各通信装置を介して運転者交代計画を報知させる制御を行う。
【０２３２】
このように、運転者選定装置１００がサーバ３００に配置されることにより、車載装置の構成を簡素化することができる。
【０２３３】
また、運転者選定装置１００の機能あるいは構成要素の一部がサーバ３００に設けられ、他の一部が車両１に設けられるなど、分散して配置されてもよい。
【０２３４】
なお、本発明は、その発明の範囲内において、各実施の形態を自由に組み合わせたり、各実施の形態を適宜、変形、省略したりすることが可能である。
【０２３５】
本発明は詳細に説明されたが、上記した説明は、全ての局面において、例示であって、本発明がそれに限定されるものではない。例示されていない無数の変形例が、この発明の範囲から外れることなく想定され得るものと解される。
【符号の説明】
【０２３６】
１  車両、１０  乗員情報取得部、２０  運転計画部、２１  報知制御部、３０  乗員情報記憶部、４０  測位部、５０  地図取得部、６０  シート移動制御部、８０  運転適性度制御部、１００  運転者選定装置、１１０  報知装置、１１１  表示装置、１１２  音声出力装置、１２０  乗員情報入力装置、１３０  地図記憶装置、１７０  シート移動装置、１８０  乗員状態検出装置、２００  運転適性度改善装置、ｔ１  タイミング、ｔ２  タイミング。
【図１】
2020039530.tif 000005
【図２】
2020039530.tif 000006
【図３】
2020039530.tif 000007
【図４】
2020039530.tif 000008
【図５】
2020039530.tif 000009
【図６】
2020039530.tif 000010
【図７】
2020039530.tif 000011
【図８】
2020039530.tif 000012
【図９】
2020039530.tif 000013
【図１０】
2020039530.tif 000014
【図１１】
2020039530.tif 000015
【図１２】
2020039530.tif 000016
【図１３】
2020039530.tif 000017
【図１４】
2020039530.tif 000018
【図１５】
2020039530.tif 000019
【図１６】
2020039530.tif 000020
【図１７】
2020039530.tif 000021
【図１８】
2020039530.tif 000022
【図１９】
2020039530.tif 000023
【図２０】
2020039530.tif 000024
【図２１】
2020039530.tif 000025
【図２２】
2020039530.tif 000026
【図２３】
2020039530.tif 000027
【図２４】
2020039530.tif 000028
【図２５】
2020039530.tif 000029
【図２６】
2020039530.tif 000030
【図２７】
2020039530.tif 000031
【図２８】
2020039530.tif 000032
【図２９】
2020039530.tif 000033
【図３０】
2020039530.tif 000034
【図３１】
2020039530.tif 000035
【図３２】
2020039530.tif 000036
【図３３】
2020039530.tif 000037
【図３４】
2020039530.tif 000038
【手続補正書】
【提出日】令和2年8月26日(2020.8.26)
【手続補正１】
【補正対象書類名】特許請求の範囲
【補正対象項目名】全文
【補正方法】変更
【補正の内容】
【特許請求の範囲】
【請求項１】
車両の運転に対し人間の関与が要求される、あるいは要求される可能性がある自動運転レベルが設定された、複数の不完全自動運転区間を含む前記車両の走行経路について、前記複数の不完全自動運転区間の各々における前記車両の運転に関与する運転者を、前記車両に搭乗する複数の乗員から選定して提示する運転者選定装置であって、
前記複数の乗員の各々の状態であって搭乗中に時間的に変化する動的状態以外の状態である静的状態を取得する乗員情報取得部と、
前記複数の乗員の各々の前記静的状態に基づき、前記複数の乗員のうち一の乗員を、一の不完全自動運転区間における前記車両の前記運転者として選定して運転者交代計画を策定し、前記運転者交代計画を前記複数の乗員のうち少なくとも１人の乗員に提示する運転計画部と、を備え、
前記運転計画部は、前記走行経路の策定の後に、前記静的状態に基づいて、前記複数の不完全自動運転区間の各々について予め前記運転者交代計画を策定し、
前記乗員情報取得部は、前記車両が前記一の不完全自動運転区間に到達する前の予め定められたタイミングにおける前記複数の乗員の各々の前記動的状態をさらに取得し、
前記運転計画部は、前記予め定められたタイミングにおける前記複数の乗員の各々の前記動的状態に基づいて、前記一の不完全自動運転区間についての前記運転者交代計画を再策定する、運転者選定装置。
【請求項２】
前記車両の現在位置を測定する測位部と、
道路の区間ごとに設定された前記自動運転レベルの情報を含む地図を取得する地図取得部と、をさらに備え、
前記運転計画部は、前記車両の前記現在位置と前記地図とに基づき、前記車両の前記走行経路を求め、前記地図に含まれる前記自動運転レベルの情報に基づき、前記走行経路に含まれる前記複数の不完全自動運転区間を求める、請求項１に記載の運転者選定装置。
【請求項３】
前記運転計画部は、前記複数の乗員の各々の前記静的状態に関する予め定められた運転者選定規則に従い、前記複数の乗員のうち前記一の乗員を、前記一の不完全自動運転区間における前記車両の前記運転者として選定する、請求項１に記載の運転者選定装置。
【請求項４】
前記複数の乗員の各々の前記静的状態は、前記複数の乗員の各々が有する前記車両の運転能力を含む、請求項３に記載の運転者選定装置。
【請求項５】
前記複数の乗員の各々の前記静的状態に関する前記予め定められた運転者選定規則は、前記複数の乗員の各々が有する前記運転能力と、前記複数の不完全自動運転区間の各々の運転難易度と、に基づいて定められる請求項４に記載の運転者選定装置。
【請求項６】
前記複数の不完全自動運転区間の各々の前記運転難易度は、前記複数の不完全自動運転区間の各々の前記自動運転レベルに基づいて決められる請求項５に記載の運転者選定装置。
【請求項７】
前記複数の不完全自動運転区間の各々の前記運転難易度は、前記複数の不完全自動運転区間の各々における道路形状または走行周辺環境に基づいて決められる請求項５に記載の運転者選定装置。
【請求項８】
前記複数の乗員の各々の前記静的状態に関する前記予め定められた運転者選定規則は、前記複数の乗員の各々が有する前記運転能力と、前記複数の不完全自動運転区間における前記車両の走行順序と、に基づいて定められ、
前記運転計画部は、前記複数の乗員のうち、高い運転能力を有する乗員ほど、前記走行順序が後方の不完全自動運転区間の前記運転者として選定する、請求項４に記載の運転者選定装置。
【請求項９】
前記複数の乗員の各々の前記静的状態は、前記複数の乗員の各々が到達すべき目的地を含み、
前記複数の乗員の各々の前記静的状態に関する前記予め定められた運転者選定規則は、前記車両の現在位置から前記目的地までの到達順と、前記複数の不完全自動運転区間における前記車両の走行順序と、に基づいて定められ、
前記運転計画部は、前記複数の乗員のうち、前記到達順が早い乗員ほど、前記走行順序が前方の不完全自動運転区間の前記運転者として選定する、請求項３に記載の運転者選定装置。
【請求項１０】
前記一の不完全自動運転区間は、前記運転者交代計画が策定された複数の不完全自動運転区間のうち、前記車両が次に走行する次期不完全自動運転区間に対応し、
前記予め定められたタイミングは、前記車両が前記次期不完全自動運転区間に到達する前であり、
前記運転計画部は、前記次期不完全自動運転区間の前記運転者である次期運転者の前記動的状態に基づく運転適性度が、予め定められた基準を満たさない場合に、前記次期運転者を除く少なくとも１人の乗員から、前記次期不完全自動運転区間における前記車両の前記運転者を再選定する、請求項１に記載の運転者選定装置。
【請求項１１】
前記一の不完全自動運転区間は、前記運転者交代計画が策定された複数の不完全自動運転区間のうち、前記車両が次に走行する次期不完全自動運転区間に対応し、
前記予め定められたタイミングは、前記車両が前記次期不完全自動運転区間に到達する前であり、
前記運転計画部は、前記次期不完全自動運転区間の前記運転者である次期運転者の前記動的状態に基づく運転適性度が、予め定められた基準を満たさない場合に、前記車両を遠隔操作によって運転する遠隔運転サービスセンタに、前記次期不完全自動運転区間における前記車両の遠隔運転を依頼する、請求項１に記載の運転者選定装置。
【請求項１２】
前記運転計画部は、前記車両に搭載される報知装置に対して、前記車両の現在位置と前記運転者交代計画とを報知させる制御を行う報知制御部を含み、
前記運転計画部は、前記報知制御部が前記制御を行うことにより、前記運転者交代計画を前記少なくとも１人の乗員に提示する、請求項１に記載の運転者選定装置。
【請求項１３】
前記運転計画部は、前記車両に搭載される複数の報知装置であって前記複数の乗員毎に設けられる前記複数の報知装置に対して、前記車両の現在位置と前記運転者交代計画とを報知させる制御を行う報知制御部を含み、
前記運転計画部は、前記報知制御部が前記制御を行うことにより、前記運転者交代計画を前記少なくとも１人の乗員に提示し、
前記報知制御部は、前記複数の報知装置のうち一の報知装置が報知する態様と、他の報知装置が報知する態様とが異なるように、前記制御を行い、
前記一の報知装置は、前記運転者交代計画が策定された前記複数の不完全自動運転区間のうち、前記車両が次に走行する次期不完全自動運転区間の前記運転者である次期運転者に、前記運転者交代計画を報知し、
前記他の報知装置は、前記次期運転者を除く前記少なくとも１人の乗員に、前記運転者交代計画を報知する、請求項１に記載の運転者選定装置。
【請求項１４】
前記一の報知装置が報知する態様は、前記他の報知装置が報知する態様よりも、前記次期運転者に対し視覚容易性に優れる、または、聴取容易性に優れる、請求項１３に記載の運転者選定装置。
【請求項１５】
前記動的状態に基づく運転適性度を向上させる運転適性度改善装置に対し、前記運転適性度を向上させる制御を行う運転適性度制御部をさらに備え、
前記乗員情報取得部は、前記運転者交代計画が策定された前記複数の不完全自動運転区間のうち、前記車両が次に走行する次期不完全自動運転区間の前記運転者である次期運転者の前記動的状態を、前記車両が前記次期不完全自動運転区間に到達する前の予め定められたタイミングで取得し、
前記運転適性度制御部は、前記次期運転者の前記動的状態に基づく前記運転適性度が、予め定められた基準を満たさない場合に、前記運転適性度改善装置に対し、前記次期運転者の前記運転適性度を向上させる前記制御を行う、請求項１に記載の運転者選定装置。
【請求項１６】
前記乗員情報取得部は、前記次期運転者の前記動的状態を受動的に検出するドライバセンシング装置、または、前記次期運転者にタスクを与えた後の前記次期運転者の反応を前記動的状態として能動的に検知するドライバセンシング装置から前記動的状態を取得する、請求項１５に記載の運転者選定装置。
【請求項１７】
前記複数の乗員の各々が着座する前記車両のシートを移動させることによって前記車両内の前記シートの配置を変更するシート移動装置に対し、前記シートを移動させる制御を行うシート移動制御部をさらに備え、
前記シート移動制御部は、前記運転者交代計画が策定された前記複数の不完全自動運転区間のうち、前記車両が次に走行する次期不完全自動運転区間の前記運転者である次期運転者が着座する前記シートを、前記次期運転者の運転に適した位置に移動させる制御を、前記シート移動装置に対して行う、請求項１に記載の運転者選定装置。
【請求項１８】
前記運転計画部は、前記走行経路の策定の後、かつ、前記車両が策定された前記走行経路の走行を開始する前に、前記静的状態に基づく前記運転者交代計画を策定する、請求項１に記載の運転者選定装置。
【請求項１９】
車両の運転に対し人間の関与が要求される、あるいは要求される可能性がある自動運転レベルが設定された、複数の不完全自動運転区間を含む前記車両の走行経路について、前記複数の不完全自動運転区間の各々における前記車両の運転に関与する運転者を、前記車両に搭乗する複数の乗員から選定して提示する運転者選定装置であって、
前記複数の乗員の各々の状態であって搭乗中に時間的に変化する動的状態を取得する乗員情報取得部と、
前記複数の乗員の各々の前記動的状態と前記複数の不完全自動運転区間の各々の前記自動運転レベルとに基づき、前記複数の乗員のうち一の乗員を、一の不完全自動運転区間における前記車両の前記運転者として選定して運転者交代計画を策定し、前記運転者交代計画を前記複数の乗員のうち少なくとも１人の乗員に提示する運転計画部と、を備え、
前記乗員情報取得部は、前記車両が前記一の不完全自動運転区間に到達する前の予め定められたタイミングにおける前記複数の乗員の各々の前記動的状態を取得し、
前記運転計画部は、前記予め定められたタイミングにおける前記複数の乗員の各々の前記動的状態と前記一の不完全自動運転区間の前記自動運転レベルとに基づいて、前記一の不完全自動運転区間について前記運転者交代計画を策定する、運転者選定装置。
【請求項２０】
前記運転計画部は、前記複数の乗員の各々の前記動的状態に関する予め定められた運転者選定規則に従い、前記複数の乗員のうち前記一の乗員を、前記一の不完全自動運転区間における前記車両の前記運転者として選定する、請求項１９に記載の運転者選定装置。
【請求項２１】
前記複数の乗員の各々の前記動的状態は、前記複数の乗員の各々のバイタル状態を含み、
前記複数の乗員の各々の前記動的状態に関する前記予め定められた運転者選定規則は、前記複数の乗員の各々の前記バイタル状態に基づく運転適性度に関する閾値であって、前記複数の不完全自動運転区間の各々の前記自動運転レベルに応じて設定される前記閾値によって定められ、
前記運転計画部は、前記複数の乗員のうち、前記閾値よりも高い運転適性度を有する前記一の乗員を、前記運転者として選定し、
前記閾値は、前記自動運転レベルが高いほど、高い値に定められている、請求項２０に記載の運転者選定装置。
【請求項２２】
前記動的状態に基づく運転適性度を向上させる運転適性度改善装置に対し、前記運転適性度を向上させる制御を行う運転適性度制御部をさらに備え、
前記運転適性度制御部は、前記運転者の前記運転適性度が、予め定められた基準を満たさない場合に、前記運転適性度改善装置に対し、前記運転者の前記運転適性度を向上させる前記制御を行う、請求項１９に記載の運転者選定装置。
【請求項２３】
車両の運転に対し人間の関与が要求される、あるいは要求される可能性がある自動運転レベルが設定された、複数の不完全自動運転区間を含む前記車両の走行経路について、前記複数の不完全自動運転区間の各々における前記車両の運転に関与する運転者を、前記車両に搭乗する複数の乗員から選定して提示する運転者選定方法であって、
前記複数の乗員の各々の状態であって搭乗中に時間的に変化する動的状態以外の状態である静的状態を取得し、
前記複数の乗員の各々の前記静的状態に基づき、前記複数の乗員のうち一の乗員を、一の不完全自動運転区間における前記車両の前記運転者として選定して運転者交代計画を策定し、前記運転者交代計画を前記複数の乗員のうち少なくとも１人の乗員に提示し、
前記走行経路の策定の後に、前記静的状態に基づいて、前記複数の不完全自動運転区間の各々について予め前記運転者交代計画を策定し、
前記車両が前記一の不完全自動運転区間に到達する前の予め定められたタイミングにおける前記複数の乗員の各々の前記動的状態をさらに取得し、
前記予め定められたタイミングにおける前記複数の乗員の各々の前記動的状態に基づいて、前記一の不完全自動運転区間についての前記運転者交代計画を再策定する、運転者選定方法。
【手続補正２】
【補正対象書類名】明細書
【補正対象項目名】００１０
【補正方法】変更
【補正の内容】
【００１０】
本発明に係る運転者選定装置は、車両の運転に対し人間の関与が要求される、あるいは要求される可能性がある自動運転レベルが設定された、複数の不完全自動運転区間を含む車両の走行経路について、複数の不完全自動運転区間の各々における車両の運転に関与する運転者を、車両に搭乗する複数の乗員から選定して提示する。運転者選定装置は、乗員情報取得部と運転計画部と、を含む。乗員情報取得部は、複数の乗員の各々の状態であって搭乗中に時間的に変化する動的状態以外の状態である静的状態を取得する。運転計画部は、複数の乗員の各々の静的状態に基づき、複数の乗員のうち一の乗員を、一の不完全自動運転区間における車両の運転者として選定して運転者交代計画を策定し、運転者交代計画を複数の乗員のうち少なくとも１人の乗員に提示する。運転計画部は、走行経路の策定の後に、静的状態に基づいて、複数の不完全自動運転区間の各々について予め運転者交代計画を策定する。乗員情報取得部は、車両が一の不完全自動運転区間に到達する前の予め定められたタイミングにおける複数の乗員の各々の動的状態をさらに取得する。運転計画部は、その予め定められたタイミングにおける複数の乗員の各々の動的状態に基づいて、一の不完全自動運転区間についての運転者交代計画を再策定する。
【手続補正３】
【補正対象書類名】明細書
【補正対象項目名】００３５
【補正方法】変更
【補正の内容】
【００３５】
本明細書では、自動運転レベル「０」から「３」のいずれかが設定された区間を不完全自動運転区間と定義する。すなわち、不完全自動運転区間とは、車両の運転に対し人間の関与が要求される、あるいは要求される可能性がある自動運転レベルが設定された区間である。例えば、自動運転レベル「３」において、車両の駆動に関係する全てのアクチュエータは、原則として、後述する運転制御装置によって操作される。運転制御装置が車両の運転に対して運転手による関与を求めた場合には、運転者が車両を運転する。よって、本明細書では、自動運転レベル「３」が設定された区間は、不完全自動運転区間と定義する。
【手続補正４】
【補正対象書類名】明細書
【補正対象項目名】００５１
【補正方法】変更
【補正の内容】
【００５１】
運転制御装置１６０は、車両の走行を制御する。自動運転レベル「４」以上の完全自動運転区間においては、運転制御装置１６０は、車両の駆動に関係するアクチュエータを操作する。それにより、車両は自動運転制御される。
【国際調査報告】
2020039530.tif 000039
2020039530.tif 000040
2020039530.tif 000041
2020039530.tif 000042